(57)【要約】【課題】インナー付き衣服を着用するだけで臀部の弛みを引き上げてヒップアップし、着用して歩行するだけで内転筋が鍛えられて太もも部分がシェイプアップされること。【解決手段】インナー付き衣服１はパンツ２の内側に、脚部１２Ａ，１２Ｂを有しストレッチサテン製のインナー本体１２と、その表側の前中心１２Ｃ上端から脚部１２Ａ，１２Ｂの付け根部分を巻いて脚部１２Ａ，１２Ｂの前方まで突出している左右対称に縫付けられたストレッチサテン製の第２ヨーク部材１３Ａ，１３Ｂとを具備するインナー４が縫付けられてなる。これによって、着用者の臀部が第２ヨーク部材１３Ａ，１３Ｂの下部で上方へ強力に引上げられてヒップの丸みが強調される。さらに、第２ヨーク部材１３Ａ，１３Ｂが普段鍛えられていない太もも内側の内転筋を締め付けるとともに引上げるため、着用して歩くだけで内転筋が鍛えられてシェイプアップされ、太ももをスリムにする。【選択図】図１
2006291440.tif 000002
【特許請求の範囲】
【請求項１】
脚部を有し伸縮性生地からなるインナー本体と、該インナー本体の臀部表側または裏側に左右対称に縫付けられた伸縮性生地からなる１対の第１ヨーク部材とを具備し、前記第１ヨーク部材は上端が前記インナー本体の上端に達し、下方部分が拡がって前記インナー本体表側または裏側の前記脚部の後部付け根部分を覆うように縫付けられてなるインナーが、衣服の内側のウエスト周りに縫付けられていることを特徴とするインナー付き衣服。
【請求項２】
前記第１ヨーク部材は前記下方部分の内側の端が前記インナー本体の股部分を巻いて前記脚部の前部付け根部分にまで達していることを特徴とする請求項１に記載のインナー付き衣服。
【請求項３】
脚部を有し伸縮性生地からなるインナー本体と、該インナー本体の臀部表側または裏側に左右対称に縫付けられた伸縮性生地からなる１対の第１ヨーク部材と、前記インナー本体と前記第１ヨーク部材との間に挟み込まれ、上端と下端とを前記インナー本体に縫付けられた伸縮性生地からなる１対の引張り部材とを具備し、前記第１ヨーク部材及び前記引張り部材は上端が前記インナー本体の上端に達し、下方部分が拡がって前記インナー本体表側または裏側の前記脚部の後部付け根部分を覆うように縫付けられてなるインナーが、衣服の内側のウエスト周りに縫付けられていることを特徴とするインナー付き衣服。
【請求項４】
前記第１ヨーク部材のみまたは前記第１ヨーク部材及び前記引張り部材は前記下方部分の内側の端が前記インナー本体の股部分を巻いて前記脚部の前部付け根部分にまで達していることを特徴とする請求項３に記載のインナー付き衣服。
【請求項５】
脚部を有し伸縮性生地からなるインナー本体と、該インナー本体の表側または裏側の前中心上端から前記脚部の付け根部分を巻いて左右対称に縫付けられた伸縮性生地からなる１対の第２ヨーク部材とを具備するインナーが、衣服の内側のウエスト周りに縫付けられていることを特徴とするインナー付き衣服。
【請求項６】
脚部を有し伸縮性生地からなるインナー本体と、該インナー本体の表側または裏側の前中心から左右に離れた上端から前記脚部の付け根部分を巻いて左右対称に縫付けられた伸縮性生地からなる１対の第２ヨーク部材とを具備するインナーが、衣服の内側のウエスト周りに縫付けられていることを特徴とするインナー付き衣服。
【請求項７】
脚部を有し伸縮性生地からなるインナー本体と、該インナー本体の表側または裏側の前中心中間部分から前記脚部の付け根部分を巻いて左右対称に縫付けられた伸縮性生地からなる１対の第２ヨーク部材とを具備するインナーが、衣服の内側のウエスト周りに縫付けられていることを特徴とするインナー付き衣服。
【請求項８】
脚部を有し伸縮性生地からなるインナー本体と、該インナー本体の表側または裏側の前中心中間部分から左右に離れた位置から前記脚部の付け根部分を巻いて左右対称に縫付けられた伸縮性生地からなる１対の第２ヨーク部材とを具備するインナーが、衣服の内側のウエスト周りに縫付けられていることを特徴とするインナー付き衣服。
【請求項９】
前記インナー本体と前記第２ヨーク部材との間に挟み込まれ、両端を前記インナー本体に縫付けられた伸縮性生地からなる１対の引張り部材とを具備することを特徴とする請求項５乃至請求項８のいずれか１つに記載のインナー付き衣服。
【請求項１０】
前記インナー本体の臀部表側または裏側に左右対称に縫付けられた伸縮性生地からなる１対の第１ヨーク部材を具備し、前記第１ヨーク部材は上端が前記インナー本体の上端に達し、下方部分が拡がって前記インナー本体表側または裏側の前記脚部の後部付け根部分を覆うように縫付けられていることを特徴とする請求項５乃至請求項９のいずれか１つに記載のインナー付き衣服。
【請求項１１】
前記第１ヨーク部材は前記下方部分の内側の端が前記インナー本体の股部分を巻いて前記脚部の前部付け根部分にまで達していることを特徴とする請求項１０に記載のインナー付き衣服。
【請求項１２】
前記第２ヨーク部材は前記脚部の付け根部分を巻いて太もも部分の前方まで突出していることを特徴とする請求項１０または請求項１１に記載のインナー付き衣服。
【請求項１３】
さらに前記第２ヨーク部材と前記第１ヨーク部材との間に挟み込まれ、両端を前記第２ヨーク部材に縫付けられた伸縮性生地からなり、上端が前記インナー本体の上端に達し、下方部分が拡がって前記インナー本体表側または裏側の前記脚部の後部付け根部分を覆うように縫付けられている１対の引張り部材を具備することを特徴とする請求項１０乃至請求項１２のいずれか１つに記載のインナー付き衣服。
【請求項１４】
前記インナー本体の表側または裏側に、両端を前記インナー本体に縫付けられた伸縮性生地からなり上端が前記インナー本体の上端に達し下方部分が拡がって前記インナー本体表側または裏側の前記脚部の後部付け根部分を覆うように縫付けられている１対の引張り部材、前記第１ヨーク部材、前記第１ヨーク部材と前記第２ヨーク部材との間に挟み込まれ両端を前記第１ヨーク部材に縫付けられた伸縮性生地からなる１対の引張り部材、前記第２ヨーク部材の順に縫付けられていることを特徴とする請求項１３に記載のインナー付き衣服。
【請求項１５】
前記第１ヨーク部材及び前記第１ヨーク部材に縫付けられた伸縮性生地からなる１対の引張り部材は前記下方部分の内側の端が前記インナー本体の股部分を巻いて前記脚部の前部付け根部分にまで達していることを特徴とする請求項１０乃至請求項１４のいずれか１つに記載のインナー付き衣服。
【請求項１６】
前記引張り部材の中間部分には１対以上の枝部分が設けられており、前記枝部分は前記インナー本体、前記第２ヨーク部材、または前記第１ヨーク部材の表側または裏側に縫付けられていることを特徴とする請求項３，請求項４，請求項９，請求項１３乃至請求項１５のいずれか１つに記載のインナー付き衣服。
【請求項１７】
前記インナーは前記第１ヨーク部材及び／または前記第２ヨーク部材の前記脚部の付け根部分を巻いて太もも部分の前方まで突出している部分が丸みを帯びた形状を有していることを特徴とする請求項１乃至請求項１６のいずれか１つに記載のインナー付き衣服。
【請求項１８】
前記インナーは前記第１ヨーク部材及び／または前記第２ヨーク部材及び／または前記引張り部材の前記脚部の付け根部分を巻いて太もも部分の前方まで突出している部分が前記脚部の裾部分まで達していることを特徴とする請求項１乃至請求項１７のいずれか１つに記載のインナー付き衣服。
【請求項１９】
前記インナーは前記衣服の内側のウエスト周りの後半分のみに縫付けられていることを特徴とする請求項１乃至請求項１８のいずれか１つに記載のインナー付き衣服。
【請求項２０】
前記インナーは前記衣服の分離部分の左右を除いたウエスト周り全周の約４分の３に縫付けられていることを特徴とする請求項１乃至請求項１８のいずれか１つに記載のインナー付き衣服。
【請求項２１】
前記インナーは前中心または脇部または後中心に前記衣服の前中心または脇部または後中心の分離部分に設けられた開閉具の長さ以上の分離部分を有し、前記インナーは前記衣服の内側のウエスト周り全周及び前記衣服の開閉具の縫代部分に縫付けられていることを特徴とする請求項１乃至請求項１８のいずれか１つに記載のインナー付き衣服。
【請求項２２】
前記衣服の前中心または脇部または後中心の分離部分に設けられた開閉具の位置に対応する前記インナー本体の前中心または脇部または後中心には開閉具が前記インナーを開閉自在に設けられていることを特徴とする請求項１乃至請求項２１のいずれか１つに記載のインナー付き衣服。
【請求項２３】
前記伸縮性生地はサテンネット（ストレッチサテン）、パワーネット、ストレッチレースのいずれかであることを特徴とする請求項１乃至請求項２２のいずれか１つに記載のインナー付き衣服。
【請求項２４】
前記インナーが前記衣服の裏側に着脱可能であることを特徴とする請求項１乃至請求項２３のいずれか１つに記載のインナー付き衣服。
【請求項２５】
通常のガードル型のインナーが衣服の裏側に着脱可能であることを特徴とするインナー付き衣服。
【請求項２６】
前記衣服のウエストベルトの裏側にＺナップの凸側または凹側が複数個取付けられ、前記インナーの上端に前記Ｚナップの凹側または凸側が複数個取付けられて、前記衣服のウエストベルトの裏側の前記Ｚナップの凸側または凹側が前記インナーの上端の前記Ｚナップの凹側または凸側と嵌合させられ或いは取外されることによって、前記インナーが前記衣服の裏側に着脱可能であることを特徴とする請求項１乃至請求項２５のいずれか１つに記載のインナー付き衣服。
【請求項２７】
前記衣服のウエストベルトの裏側にＺナップの凸側または凹側が複数個取付けられるとともに複数のループ或いは複数のボタンまたは複数の雄型スプリングホックが取付けられ、前記インナーの上端にＺナップの凹側または凸側が複数個取付けられるとともに前記インナーの表側に複数のボタンまたは複数の雄型スプリングホック或いは複数のループが取付けられて、前記衣服のウエストベルトの裏側の前記Ｚナップの凸側または凹側が前記インナーの上端の前記Ｚナップの凹側または凸側と嵌合させられ或いは取外されるとともに前記ループに前記ボタンまたは前記雄型スプリングホックが嵌められ或いは外されることによって、前記インナーが前記衣服の裏側に着脱可能であることを特徴とする請求項１乃至請求項２５のいずれか１つに記載のインナー付き衣服。
【請求項２８】
前記衣服のウエストベルトの裏側にランジェリーフックアイテープの雌側または雄側が取付けられ、前記インナーの表側に前記ランジェリーフックアイテープの雄側または雌側が取付けられて、前記ランジェリーフックアイテープの雌フックに前記ランジェリーフックアイテープの雄フックが係合させられ或いは取外されることによって、前記インナーが前記衣服の裏側に着脱可能であることを特徴とする請求項１乃至請求項２５のいずれか１つに記載のインナー付き衣服。
【請求項２９】
前記衣服のウエストベルトの裏側に複数の糸ループ或いは複数のボタンまたは複数の雄型スプリングホックが取付けられ、前記インナーの表側に複数のボタンまたは複数の雄型スプリングホックまたは複数の糸ループが取付けられて、前記糸ループに前記ボタンまたは前記雄型スプリングホックが嵌められ或いは外されることによって、前記インナーが前記衣服の裏側に着脱可能であることを特徴とする請求項１乃至請求項２５のいずれか１つに記載のインナー付き衣服。
【請求項３０】
前記衣服のウエストベルトの裏側に複数のルーパー或いは複数のボタンまたは複数の雄型スプリングホックが取付けられ、前記インナーの表側に複数のボタンまたは複数の雄型スプリングホック或いは複数のルーパーが取付けられて、前記ルーパーに前記ボタンまたは前記雄型スプリングホックが嵌められ或いは外されることによって、前記インナーが前記衣服の裏側に着脱可能であることを特徴とする請求項１乃至請求項２５のいずれか１つに記載のインナー付き衣服。
【請求項３１】
前記衣服のウエストベルトの裏側に複数の表地バイアスループまたは裏地バイアスループ或いは複数のボタンまたは複数の雄型スプリングホックが取付けられ、前記インナーの表側に複数のボタンまたは複数の雄型スプリングホック或いは複数の表地バイアスループまたは裏地バイアスループが取付けられて、前記表地バイアスループまたは裏地バイアスループに前記ボタンまたは前記雄型スプリングホックが嵌められ或いは外されることによって、前記インナーが前記衣服の裏側に着脱可能であることを特徴とする請求項１乃至請求項２５のいずれか１つに記載のインナー付き衣服。
【請求項３２】
前記衣服のウエストベルトの裏側に複数のチイまたは複数のボタンが取付けられ、前記インナーの表側に複数のボタンまたは複数のチイが取付けられて、前記チイに前記ボタンが嵌められ或いは外されることによって、前記インナーが前記衣服の裏側に着脱可能であることを特徴とする請求項１乃至請求項２５のいずれか１つに記載のインナー付き衣服。
【請求項３３】
前記衣服のウエストベルトの裏側に複数のボタンホールが設けられた布テープまたはゴムテープ或いは複数のボタンが取付けられ、前記インナーの表側に複数のボタン或いは複数のボタンホールが設けられた布テープまたはゴムテープが取付けられて、前記ボタンホールに前記ボタンが嵌められ或いは外されることによって、前記インナーが前記衣服の裏側に着脱可能であることを特徴とする請求項１乃至請求項２５のいずれか１つに記載のインナー付き衣服。
【請求項３４】
前記衣服のウエストベルトの裏側に複数の雄型または雌型スプリングホックが取付けられ、前記インナーの表側に複数の雌型または雄型スプリングホックが取付けられて、前記雄型スプリングホックと前記雌型スプリングホックが嵌合させられ或いは外されることによって、前記インナーが前記衣服の裏側に着脱可能であることを特徴とする請求項１乃至請求項２５のいずれか１つに記載のインナー付き衣服。
【請求項３５】
前記衣服のウエストベルトの裏側に複数の凸側または凹側のドット釦或いは複数の凸側または凹側のドット釦が付いたドット・スナップテープが取付けられ、前記インナーの表側に複数の凹側または凸側のドット釦或いは複数の凹側または凸側のドット釦が付いたドット・スナップテープが取付けられて、前記凸側または凹側のドット釦に前記凹側または凸側のドット釦が嵌められ或いは外されることによって、前記インナーが前記衣服の裏側に着脱可能であることを特徴とする請求項１乃至請求項２５のいずれか１つに記載のインナー付き衣服。
【請求項３６】
前記衣服のウエストベルトの裏側に一または二以上のオープンファスナーの雄側または雌側が取付けられ、前記インナーの表側に一または二以上の前記オープンファスナーの雌側または雄側が取付けられて、前記オープンファスナーの雄側と雌側とが全て接続され或いは全て外されることによって、前記インナーが前記衣服の裏側に着脱可能であることを特徴とする請求項１乃至請求項２５のいずれか１つに記載のインナー付き衣服。
【請求項３７】
前記衣服のウエストベルトの裏側に間隔を空けて複数のホールの付いたレース生地或いは複数のボタンまたは複数の雄型スプリングホックが取付けられ、前記インナーの表側に複数のボタンまたは複数の雄型スプリングホック或いは間隔を空けて複数のホールの付いたレース生地が取付けられて、前記レース生地のホールに前記ボタンまたは前記雄型スプリングホックが嵌められ或いは外されることによって、前記インナーが前記衣服の裏側に着脱可能であることを特徴とする請求項１乃至請求項２５のいずれか１つに記載のインナー付き衣服。
【請求項３８】
前記衣服のウエストベルトの裏側に複数の接着布（マジックテープ（登録商標））の硬い側または軟らかい側が取付けられ、前記インナーの表側に複数の接着布の軟らかい側または硬い側が取付けられて、前記接着布の硬い側と軟らかい側とが接着され或いは剥がされることによって、前記インナーが前記衣服の裏側に着脱可能であることを特徴とする請求項１乃至請求項２５のいずれか１つに記載のインナー付き衣服。
【請求項３９】
前記衣服のウエストベルトの裏側にキセを設けて前記衣服のウエストベルトの裏側に取付けられた着脱具の一方が前記キセの下に隠れるようにした前記インナーが前記衣服の裏側に着脱可能であることを特徴とする請求項２４乃至請求項３８のいずれか１つに記載のインナー付き衣服。
【請求項４０】
前記衣服のウエストベルトの裏側に設けられた前記キセを貫通して複数のボタンホールが設けられ、または前記キセの内側の布のみに複数の隠し穴かがりが設けられ、前記インナーの表側に複数のボタンが取付けられて、前記ボタンホールまたは前記隠し穴かがりに前記ボタンが嵌められ或いは外されることによって、前記インナーが前記衣服の裏側に着脱可能であることを特徴とする請求項３９に記載のインナー付き衣服。
【請求項４１】
前記インナー本体はガードル本体であり、前記インナーはガードルであり、前記インナー付き衣服は女性用のガードル付き衣服であることを特徴とする請求項１乃至請求項４０のいずれか１つに記載のインナー付き衣服。
【発明の詳細な説明】
【技術分野】
【０００１】
本発明は、ズボン（パンツ、スラックス）、スカート等の衣服の内側にガードル等のインナーを取付けて締め付けることによって、着用するだけで臀部の弛みを引き上げて、ヒップアップさせるとともに、着用して歩行するだけで内転筋が鍛えられて太もも部分がシェイプアップされて美しいプロポーションを得ることができるインナー付き衣服に関するものである。
【背景技術】
【０００２】
従来、特に女性の場合は、下半身の体形を補整するために下着としてガードルを着用し、その上にズボン（パンツ、スラックス）やスカート等のボトムズを着用するが、これらのガードルとズボン（パンツ、スラックス）やスカート等のボトムズを別々に着用することは煩雑である。そこで、特許文献１にかかる考案（登録実用新案）においては、ガードルをスラックスに組み合わせて一体化したヒップアップ用矯正スラックスが開示されている。さらに、特許文献２にかかる特許発明においては、着用する際のファスナー部分のつっぱりをなくしてファスナーをスムーズに開閉でき、ウエスト周りのひきつりをなくし、かつ腹部の出っ張りとヒップの矯正をすることができる矯正用ガードル付きパンツ及びスカートが開示されている。
【特許文献１】登録実用新案公報第３００８６１６号
【特許文献２】特許公報第２６７０５６７号
【発明の開示】
【発明が解決しようとする課題】
【０００３】
しかしながら、上記特許文献１及び特許文献２に記載された技術においては、まだ臀部の弛みを引上げる効果が不足しており、十分なヒップアップ効果が期待できない。また、太もも部分を締め付ける作用がないため、普段鍛えられていない内転筋を締め付けて太もも部分をシェイプアップする効果が得られないという問題点があった。さらに、矯正用ガードルがパンツ等と一体になっているため、矯正用ガードルが不要である場合や矯正用ガードルのみを洗濯したい場合にも、取り外すことができないという問題もある。また、近年は、女性のみでなく男性にも美しいプロポーションを得たいという要求が強くなる傾向にある。
【０００４】
そこで、本発明は、ズボン・パンツ（スラックス・Ｇパン・短パン・オーバーオールを含む）やスカート（タイトスカート・キュロットスカート・ワンピース・ジャンパースカートを含む）等の衣服の内側にガードル等のインナーを取付けて締め付けることによって、着用するだけで腹部や臀部の弛みを引き上げてヒップアップさせるとともに、着用して歩行するだけで内転筋が鍛えられて太もも部分がシェイプアップされて美しいプロポーションを得ることができる男性用及び女性用のインナー付き衣服の提供を課題とするものである。
【０００５】
また、本発明は、通常のガードルを含むインナーをズボン・パンツやスカート等の衣服から取外すことのできるインナー付き衣服の提供をも課題とするものである。
【課題を解決するための手段】
【０００６】
請求項１の発明にかかるインナー付き衣服は、脚部を有し伸縮性生地からなるインナー本体と、該インナー本体の臀部表側または裏側に左右対称に縫付けられた伸縮性生地からなる１対の第１ヨーク部材とを具備し、前記第１ヨーク部材は上端が前記インナー本体の上端に達し、下方部分が拡がって前記インナー本体表側または裏側の前記脚部の後部付け根部分を覆うように縫付けられてなるインナーが、衣服の内側のウエスト周りに縫付けられているものである。
【０００７】
請求項２の発明にかかるインナー付き衣服は、請求項１の構成において、前記第１ヨーク部材は前記下方部分の内側の端が前記インナー本体の股部分を巻いて前記脚部の前部付け根部分にまで達しているものである。
【０００８】
請求項３の発明にかかるインナー付き衣服は、脚部を有し伸縮性生地からなるインナー本体と、該インナー本体の臀部表側または裏側に左右対称に縫付けられた伸縮性生地からなる１対の第１ヨーク部材と、前記インナー本体と前記第１ヨーク部材との間に挟み込まれ、上端と下端とを前記インナー本体に縫付けられた伸縮性生地からなる１対の引張り部材とを具備し、前記第１ヨーク部材及び前記引張り部材は上端が前記インナー本体の上端に達し、下方部分が拡がって前記インナー本体表側または裏側の前記脚部の後部付け根部分を覆うように縫付けられてなるインナーが、衣服の内側のウエスト周りに縫付けられているものである。
【０００９】
請求項４の発明にかかるインナー付き衣服は、請求項３の構成において、前記第１ヨーク部材のみまたは前記第１ヨーク部材及び前記引張り部材は前記下方部分の内側の端が前記インナー本体の股部分を巻いて前記脚部の前部付け根部分にまで達しているものである。
【００１０】
請求項５の発明にかかるインナー付き衣服は、脚部を有し伸縮性生地からなるインナー本体と、該インナー本体の表側または裏側の前中心上端から前記脚部の付け根部分を巻いて左右対称に縫付けられた伸縮性生地からなる１対の第２ヨーク部材とを具備するインナーが、衣服の内側のウエスト周りに縫付けられているものである。
【００１１】
請求項６の発明にかかるインナー付き衣服は、脚部を有し伸縮性生地からなるインナー本体と、該インナー本体の表側または裏側の前中心から左右に離れた上端から前記脚部の付け根部分を巻いて左右対称に縫付けられた伸縮性生地からなる１対の第２ヨーク部材とを具備するインナーが、衣服の内側のウエスト周りに縫付けられているものである。
【００１２】
請求項７の発明にかかるインナー付き衣服は、脚部を有し伸縮性生地からなるインナー本体と、該インナー本体の表側または裏側の前中心中間部分から前記脚部の付け根部分を巻いて左右対称に縫付けられた伸縮性生地からなる１対の第２ヨーク部材とを具備するインナーが、衣服の内側のウエスト周りに縫付けられているものである。
【００１３】
請求項８の発明にかかるインナー付き衣服は、脚部を有し伸縮性生地からなるインナー本体と、該インナー本体の表側または裏側の前中心中間部分から左右に離れた位置から前記脚部の付け根部分を巻いて左右対称に縫付けられた伸縮性生地からなる１対の第２ヨーク部材とを具備するインナーが、衣服の内側のウエスト周りに縫付けられているものである。
【００１４】
請求項９の発明にかかるインナー付き衣服は、請求項５乃至請求項８のいずれか１つの構成において、前記インナー本体と前記第２ヨーク部材との間に挟み込まれ、両端を前記インナー本体に縫付けられた伸縮性生地からなる１対の引張り部材とを具備するものである。
【００１５】
請求項１０の発明にかかるインナー付き衣服は、請求項５乃至請求項９のいずれか１つの構成において、前記インナー本体の臀部表側または裏側に左右対称に縫付けられた伸縮性生地からなる１対の第１ヨーク部材を具備し、前記第１ヨーク部材は上端が前記インナー本体の上端に達し、下方部分が拡がって前記インナー本体表側または裏側の前記脚部の後部付け根部分を覆うように縫付けられているものである。
【００１６】
請求項１１の発明にかかるインナー付き衣服は、請求項１０の構成において、前記第１ヨーク部材は前記下方部分の内側の端が前記インナー本体の股部分を巻いて前記脚部の前部付け根部分にまで達しているものである。
【００１７】
請求項１２の発明にかかるインナー付き衣服は、請求項１０または請求項１１の構成において、前記第２ヨーク部材は前記脚部の付け根部分を巻いて太もも部分の前方まで突出しているものである。
【００１８】
請求項１３の発明にかかるインナー付き衣服は、請求項１０乃至請求項１２のいずれか１つの構成において、さらに前記第２ヨーク部材と前記第１ヨーク部材との間に挟み込まれ、両端を前記第２ヨーク部材に縫付けられた伸縮性生地からなり、上端が前記インナー本体の上端に達し、下方部分が拡がって前記インナー本体表側または裏側の前記脚部の後部付け根部分を覆うように縫付けられている１対の引張り部材を具備するものである。
【００１９】
請求項１４の発明にかかるインナー付き衣服は、請求項１３の構成において、前記インナー本体の表側または裏側に、両端を前記インナー本体に縫付けられた伸縮性生地からなり上端が前記インナー本体の上端に達し下方部分が拡がって前記インナー本体表側または裏側の前記脚部の後部付け根部分を覆うように縫付けられている１対の引張り部材、前記第１ヨーク部材、前記第１ヨーク部材と前記第２ヨーク部材との間に挟み込まれ両端を前記第１ヨーク部材に縫付けられた伸縮性生地からなる１対の引張り部材、前記第２ヨーク部材の順に縫付けられているものである。
【００２０】
請求項１５の発明にかかるインナー付き衣服は、請求項１０乃至請求項１４のいずれか１つの構成において、前記第１ヨーク部材及び前記第１ヨーク部材に縫付けられた伸縮性生地からなる１対の引張り部材は前記下方部分の内側の端が前記インナー本体の股部分を巻いて前記脚部の前部付け根部分にまで達しているものである。
【００２１】
請求項１６の発明にかかるインナー付き衣服は、請求項３，請求項４，請求項９，請求項１３乃至請求項１５のいずれか１つの構成において、前記引張り部材の中間部分には１対以上の枝部分が設けられており、前記枝部分は前記インナー本体、前記第２ヨーク部材、または前記第１ヨーク部材の表側または裏側に縫付けられているものである。
【００２２】
請求項１７の発明にかかるインナー付き衣服は、請求項１乃至請求項１６のいずれか１つの構成において、前記インナーは前記第１ヨーク部材及び／または前記第２ヨーク部材の前記脚部の付け根部分を巻いて太もも部分の前方まで突出している部分が丸みを帯びた形状を有しているものである。
【００２３】
請求項１８の発明にかかるインナー付き衣服は、請求項１乃至請求項１７のいずれか１つの構成において、前記インナーは前記第１ヨーク部材及び／または前記第２ヨーク部材及び／または前記引張り部材の前記脚部の付け根部分を巻いて太もも部分の前方まで突出している部分が前記脚部の裾部分まで達しているものである。
【００２４】
請求項１９の発明にかかるインナー付き衣服は、請求項１乃至請求項１８のいずれか１つの構成において、前記インナーは前記衣服の内側のウエスト周りの後半分のみに縫付けられているものである。
【００２５】
請求項２０の発明にかかるインナー付き衣服は、請求項１乃至請求項１８のいずれか１つの構成において、前記インナーは前記衣服の分離部分の左右を除いたウエスト周り全周の約４分の３に縫付けられているものである。
【００２６】
請求項２１の発明にかかるインナー付き衣服は、請求項１乃至請求項１８のいずれか１つの構成において、前記インナーは前中心または脇部または後中心に前記衣服の前中心または脇部または後中心の分離部分に設けられた開閉具の長さ以上の分離部分を有し、前記インナーは前記衣服の内側のウエスト周り全周及び前記衣服の開閉具の縫代部分に縫付けられているものである。
【００２７】
請求項２２の発明にかかるインナー付き衣服は、請求項１乃至請求項２１のいずれか１つの構成において、前記衣服の前中心または脇部または後中心の分離部分に設けられた開閉具の位置に対応する前記インナー本体の前中心または脇部または後中心には開閉具が前記インナーを開閉自在に設けられているものである。
【００２８】
請求項２３の発明にかかるインナー付き衣服は、請求項１乃至請求項２２のいずれか１つの構成において、前記伸縮性生地はサテンネット（ストレッチサテン）、パワーネット、ストレッチレースのいずれかであるものである。
【００２９】
請求項２４の発明にかかるインナー付き衣服は、請求項１乃至請求項２３のいずれか１つの構成において、前記インナーが前記衣服の裏側に着脱可能であるものである。
【００３０】
請求項２５の発明にかかるインナー付き衣服は、通常のガードル型のインナーが衣服の裏側に着脱可能であるものである。
【００３１】
請求項２６の発明にかかるインナー付き衣服は、請求項１乃至請求項２５のいずれか１つの構成において、前記衣服のウエストベルトの裏側にＺナップの凸側または凹側が複数個取付けられ、前記インナーの上端に前記Ｚナップの凹側または凸側が複数個取付けられて、前記衣服のウエストベルトの裏側の前記Ｚナップの凸側または凹側が前記インナーの上端の前記Ｚナップの凹側または凸側と嵌合させられ或いは取外されることによって、前記インナーが前記衣服の裏側に着脱可能であるものである。
【００３２】
請求項２７の発明にかかるインナー付き衣服は、請求項１乃至請求項２５のいずれか１つの構成において、前記衣服のウエストベルトの裏側にＺナップの凸側または凹側が複数個取付けられるとともに複数のループ或いは複数のボタンまたは複数の雄型スプリングホックが取付けられ、前記インナーの上端にＺナップの凹側または凸側が複数個取付けられるとともに前記インナーの表側に複数のボタンまたは複数の雄型スプリングホック或いは複数のループが取付けられて、前記衣服のウエストベルトの裏側の前記Ｚナップの凸側または凹側が前記インナーの上端の前記Ｚナップの凹側または凸側と嵌合させられ或いは取外されるとともに前記ループに前記ボタンまたは前記雄型スプリングホックが嵌められ或いは外されることによって、前記インナーが前記衣服の裏側に着脱可能であるものである。
【００３３】
請求項２８の発明にかかるインナー付き衣服は、請求項１乃至請求項２５のいずれか１つの構成において、前記衣服のウエストベルトの裏側にランジェリーフックアイテープの雌側または雄側が取付けられ、前記インナーの表側に前記ランジェリーフックアイテープの雄側または雌側が取付けられて、前記ランジェリーフックアイテープの雌フックに前記ランジェリーフックアイテープの雄フックが係合させられ或いは取外されることによって、前記インナーが前記衣服の裏側に着脱可能であるものである。
【００３４】
請求項２９の発明にかかるインナー付き衣服は、請求項１乃至請求項２５のいずれか１つの構成において、前記衣服のウエストベルトの裏側に複数の糸ループ或いは複数のボタンまたは複数の雄型スプリングホックが取付けられ、前記インナーの表側に複数のボタンまたは複数の雄型スプリングホックまたは複数の糸ループが取付けられて、前記糸ループに前記ボタンまたは前記雄型スプリングホックが嵌められ或いは外されることによって、前記インナーが前記衣服の裏側に着脱可能であるものである。
【００３５】
請求項３０の発明にかかるインナー付き衣服は、請求項１乃至請求項２５のいずれか１つの構成において、前記衣服のウエストベルトの裏側に複数のルーパー或いは複数のボタンまたは複数の雄型スプリングホックが取付けられ、前記インナーの表側に複数のボタンまたは複数の雄型スプリングホック或いは複数のルーパーが取付けられて、前記ルーパーに前記ボタンまたは前記雄型スプリングホックが嵌められ或いは外されることによって、前記インナーが前記衣服の裏側に着脱可能であるものである。
【００３６】
請求項３１の発明にかかるインナー付き衣服は、請求項１乃至請求項２５のいずれか１つの構成において、前記衣服のウエストベルトの裏側に複数の表地バイアスループまたは裏地バイアスループ或いは複数のボタンまたは複数の雄型スプリングホックが取付けられ、前記インナーの表側に複数のボタンまたは複数の雄型スプリングホック或いは複数の表地バイアスループまたは裏地バイアスループが取付けられて、前記表地バイアスループまたは裏地バイアスループに前記ボタンまたは前記雄型スプリングホックが嵌められ或いは外されることによって、前記インナーが前記衣服の裏側に着脱可能であるものである。
【００３７】
請求項３２の発明にかかるインナー付き衣服は、請求項１乃至請求項２５のいずれか１つの構成において、前記衣服のウエストベルトの裏側に複数のチイまたは複数のボタンが取付けられ、前記インナーの表側に複数のボタンまたは複数のチイが取付けられて、前記チイに前記ボタンが嵌められ或いは外されることによって、前記インナーが前記衣服の裏側に着脱可能であるものである。
【００３８】
請求項３３の発明にかかるインナー付き衣服は、請求項１乃至請求項２５のいずれか１つの構成において、前記衣服のウエストベルトの裏側に複数のボタンホールが設けられた布テープまたはゴムテープ或いは複数のボタンが取付けられ、前記インナーの表側に複数のボタン或いは複数のボタンホールが設けられた布テープまたはゴムテープが取付けられて、前記ボタンホールに前記ボタンが嵌められ或いは外されることによって、前記インナーが前記衣服の裏側に着脱可能であるものである。
【００３９】
請求項３４の発明にかかるインナー付き衣服は、請求項１乃至請求項２５のいずれか１つの構成において、前記衣服のウエストベルトの裏側に複数の雄型または雌型スプリングホックが取付けられ、前記インナーの表側に複数の雌型または雄型スプリングホックが取付けられて、前記雄型スプリングホックと前記雌型スプリングホックが嵌合させられ或いは外されることによって、前記インナーが前記衣服の裏側に着脱可能であるものである。
【００４０】
請求項３５の発明にかかるインナー付き衣服は、請求項１乃至請求項２５のいずれか１つの構成において、前記衣服のウエストベルトの裏側に複数の凸側または凹側のドット釦或いは複数の凸側または凹側のドット釦が付いたドット・スナップテープが取付けられ、前記インナーの表側に複数の凹側または凸側のドット釦或いは複数の凹側または凸側のドット釦が付いたドット・スナップテープが取付けられて、前記凸側または凹側のドット釦に前記凹側または凸側のドット釦が嵌められ或いは外されることによって、前記インナーが前記衣服の裏側に着脱可能であるものである。
【００４１】
請求項３６の発明にかかるインナー付き衣服は、請求項１乃至請求項２５のいずれか１つの構成において、前記衣服のウエストベルトの裏側に一または二以上のオープンファスナーの雄側または雌側が取付けられ、前記インナーの表側に一または二以上の前記オープンファスナーの雌側または雄側が取付けられて、前記オープンファスナーの雄側と雌側とが全て接続され或いは全て外されることによって、前記インナーが前記衣服の裏側に着脱可能であるものである。
【００４２】
請求項３７の発明にかかるインナー付き衣服は、請求項１乃至請求項２５のいずれか１つの構成において、前記衣服のウエストベルトの裏側に間隔を空けて複数のホールの付いたレース生地或いは複数のボタンまたは複数の雄型スプリングホックが取付けられ、前記インナーの表側に複数のボタンまたは複数の雄型スプリングホック或いは間隔を空けて複数のホールの付いたレース生地が取付けられて、前記レース生地のホールに前記ボタンまたは前記雄型スプリングホックが嵌められ或いは外されることによって、前記インナーが前記衣服の裏側に着脱可能であるものである。
【００４３】
請求項３８の発明にかかるインナー付き衣服は、請求項１乃至請求項２５のいずれか１つの構成において、前記衣服のウエストベルトの裏側に複数の接着布（マジックテープ（登録商標））の硬い側または軟らかい側が取付けられ、前記インナーの表側に複数の接着布の軟らかい側または硬い側が取付けられて、前記接着布の硬い側と軟らかい側とが接着され或いは剥がされることによって、前記インナーが前記衣服の裏側に着脱可能であるものである。
【００４４】
請求項３９の発明にかかるインナー付き衣服は、請求項２４乃至請求項３８のいずれか１つの構成において、前記衣服のウエストベルトの裏側にキセを設けて前記衣服のウエストベルトの裏側に取付けられた着脱具の一方が前記キセの下に隠れるようにした前記インナーが前記衣服の裏側に着脱可能であるものである。
【００４５】
請求項４０の発明にかかるインナー付き衣服は、請求項３９の構成において、前記衣服のウエストベルトの裏側に設けられた前記キセを貫通して複数のボタンホールが設けられ、または前記キセの内側の布のみに複数の隠し穴かがりが設けられ、前記インナーの表側に複数のボタンが取付けられて、前記ボタンホールまたは前記隠し穴かがりに前記ボタンが嵌められ或いは外されることによって、前記インナーが前記衣服の裏側に着脱可能であるものである。
【００４６】
請求項４１の発明にかかるインナー付き衣服は、請求項１乃至請求項４０のいずれか１つの構成において、前記インナー本体はガードル本体であり、前記インナーはガードルであり、前記インナー付き衣服は女性用のガードル付き衣服であるものである。
【発明の効果】
【００４７】
請求項１の発明にかかるインナー付き衣服は、脚部を有し伸縮性生地からなるインナー本体と、インナー本体の臀部表側または裏側に左右対称に縫付けられた伸縮性生地からなる１対の第１ヨーク部材とを具備し、第１ヨーク部材は上端がインナー本体の上端に達し、下方部分が拡がってインナー本体表側または裏側の脚部の後部付け根部分を覆うように縫付けられてなるインナーが、衣服の内側のウエスト周りに縫付けられている。
【００４８】
ここで、「衣服」としては、スラックス・Ｇパン・短パン・オーバーオール等のズボン・パンツ類や、タイトスカート・キュロットスカート・ワンピース・ジャンパースカート・プリーツスカート・フレアスカート等のスカート類、等がある。
【００４９】
また、「伸縮性生地」としては、例えば、パワーネット、サテンネット（ストレッチサテン）、ストレッチレース、等がある。インナー本体と１対の第１ヨーク部材とは、同じ種類の伸縮性生地からなるものでも良く、異なる種類の伸縮性生地からなるものでも良い。さらに、第１ヨーク部材は、引張り力を掛けない状態でインナー本体に縫付けても良く、引張り力を掛けながらインナー本体に縫付けても良い。
【００５０】
第１ヨーク部材はインナー本体表側または裏側の脚部の後部付け根部分を覆うように縫付けられており、上端がインナー本体の上端に達しているので、かかるインナーが内側のウエスト周りに縫付けられた衣服の着用者の臀部を上方へ引上げる働きをする。また、構造が簡単であるため、製造が容易で安価なインナー付き衣服となる。
【００５１】
このようにして、着用するだけで臀部の弛みを引き上げてヒップアップさせるとともに、製造が容易で安価なインナー付き衣服となる。
【００５２】
請求項２の発明にかかるインナー付き衣服は、第１ヨーク部材は下方部分の内側の端がインナー本体の股部分を巻いて脚部の前部付け根部分にまで達している。これによって、着用者の臀部を上方へ引上げる働きのみならず、普段鍛えられていない太もも内側の内転筋を締め付けるとともに引上げるため、かかるインナーが内側のウエスト周りに縫付けられた衣服を着用して歩くだけで内転筋が鍛えられてシェイプアップされ、太ももをスリムにする効果をも具備する。
【００５３】
このようにして、着用するだけで臀部の弛みを引き上げてヒップアップさせるとともに、着用して歩行するだけで内転筋が鍛えられて太もも部分がシェイプアップされて美しいプロポーションを得ることができ、製造が容易で安価なインナー付き衣服となる。
【００５４】
請求項３の発明にかかるインナー付き衣服は、脚部を有し伸縮性生地からなるインナー本体と、インナー本体の臀部表側または裏側に左右対称に縫付けられた伸縮性生地からなる１対の第１ヨーク部材と、インナー本体と第１ヨーク部材との間に挟み込まれ、上端と下端とをインナー本体に縫付けられた伸縮性生地からなる１対の引張り部材とを具備し、第１ヨーク部材及び引張り部材は上端がインナー本体の上端に達し、下方部分が拡がってインナー本体表側または裏側の脚部の後部付け根部分を覆うように縫付けられてなるインナーが、衣服の内側のウエスト周りに縫付けられている。
【００５５】
ここで、インナー本体と１対の第１ヨーク部材と１対の引張り部材とは、全て同じ種類の伸縮性生地からなるものでも良く、それぞれ異なる種類の伸縮性生地からなるものでも良く、これらのうち２つが同じ種類の伸縮性生地からなるものでも良い。また、引張り部材は引張り力を掛けながらインナー本体に縫付けられ、第１ヨーク部材は、引張り部材の上から縫付ける場合は通常は引張り力を掛けない状態でインナー本体に縫付けられるが、引張り力を掛けながらインナー本体に縫付けても良い。
【００５６】
第１ヨーク部材はインナー本体表側または裏側の脚部の後部付け根部分を覆うように縫付けられており、上端がインナー本体の上端に達しているので、かかるインナーを内側のウエスト周りに縫付けた衣服の着用者の臀部を上方へ引上げる働きをする。また、引張り部材は上端と下端のみが縫付けられているので、ヒップアップの効果が一層強化される。
【００５７】
このようにして、着用するだけで臀部の弛みを引き上げてより一層効果的にヒップアップさせることができるインナー付き衣服となる。
【００５８】
請求項４の発明にかかるインナー付き衣服は、第１ヨーク部材のみまたは第１ヨーク部材及び引張り部材が、下方部分の内側の端がインナー本体の股部分を巻いて脚部の前部付け根部分にまで達している。これによって、かかるインナーを内側のウエスト周りに縫付けた衣服の着用者の臀部を上方へより強力に引上げる効果のみならず、第１ヨーク部材のみまたは第１ヨーク部材及び引張り部材が普段鍛えられていない太もも内側の内転筋を締め付けるとともに引上げるため、着用して歩くだけで内転筋が鍛えられてシェイプアップされ、太ももをスリムにする効果をも具備する。
【００５９】
このようにして、着用するだけで臀部の弛みを引き上げてより一層効果的にヒップアップさせるとともに、着用して歩行するだけで内転筋が鍛えられて太もも部分がシェイプアップされて美しいプロポーションを得ることができるインナー付き衣服となる。
【００６０】
請求項５の発明にかかるインナー付き衣服は、脚部を有し伸縮性生地からなるインナー本体と、その表側または裏側の前中心上端から脚部の付け根部分を巻いて左右対称に縫付けられた伸縮性生地からなる１対の第２ヨーク部材とを具備するインナーが、衣服の内側のウエスト周りに縫付けられている。
【００６１】
ここで、インナー本体と１対の第２ヨーク部材とは、同じ種類の伸縮性生地からなるものでも良く、異なる種類の伸縮性生地からなるものでも良い。また、第２ヨーク部材は、引張り力を掛けない状態でインナー本体に縫付けても良く、引張り力を掛けながらインナー本体に縫付けても良い。
【００６２】
これによって、かかるインナーが内側のウエスト周りに縫付けられた衣服の着用者の腹部が第２ヨーク部材の上部で締め付けられて引き締められるとともに、臀部が第２ヨーク部材の下部で上方へ引上げられてヒップの丸みが強調される。また、構造が簡単であるため製造が容易で安価なインナー付き衣服となる。
【００６３】
このようにして、着用するだけで腹部の弛みを引き締め、臀部の弛みを引き上げてヒップアップさせるとともに、製造が容易で安価なインナー付き衣服となる。
【００６４】
請求項６の発明にかかるインナー付き衣服は、脚部を有し伸縮性生地からなるインナー本体と、その表側または裏側の前中心から左右に離れた上端から脚部の付け根部分を巻いて左右対称に縫付けられた伸縮性生地からなる１対の第２ヨーク部材とを具備するインナーが、衣服の内側のウエスト周りに縫付けられている。
【００６５】
これによって、かかるインナーが内側のウエスト周りに縫付けられた衣服の着用者の臀部が第２ヨーク部材の下部で上方へ引上げられてヒップの丸みが強調される。また、構造が簡単であるため製造が容易で安価なインナー付き衣服となる。
【００６６】
このようにして、着用するだけで臀部の弛みを引き上げてヒップアップさせるとともに、製造が容易で安価なインナー付き衣服となる。
【００６７】
請求項７の発明にかかるインナー付き衣服は、脚部を有し伸縮性生地からなるインナー本体と、その表側または裏側の前中心中間部分から脚部の付け根部分を巻いて左右対称に縫付けられた伸縮性生地からなる１対の第２ヨーク部材とを具備するインナーが、衣服の内側のウエスト周りに縫付けられている。
【００６８】
これによって、かかるインナーが内側のウエスト周りに縫付けられた衣服の着用者の下腹部が第２ヨーク部材の上部で締め付けられて引き締められるとともに、臀部が第２ヨーク部材の下部で上方へ引上げられてヒップの丸みが強調される。また、構造が簡単であるため製造が容易で安価なインナー付き衣服となる。
【００６９】
このようにして、着用するだけで下腹部の弛みを引き締め、臀部の弛みを引き上げてヒップアップさせるとともに、製造が容易で安価なインナー付き衣服となる。
【００７０】
請求項８の発明にかかるインナー付き衣服は、脚部を有し伸縮性生地からなるインナー本体と、その表側または裏側の前中心中間部分から左右に離れた位置から脚部の付け根部分を巻いて左右対称に縫付けられた伸縮性生地からなる１対の第２ヨーク部材とを具備するインナーが、衣服の内側のウエスト周りに縫付けられている。
【００７１】
これによって、かかるインナーが内側のウエスト周りに縫付けられた衣服の着用者の臀部が第２ヨーク部材の下部で上方へ引上げられてヒップの丸みが強調される。また、構造が簡単であるため製造が容易で安価なインナー付き衣服となる。
【００７２】
このようにして、着用するだけで臀部の弛みを引き上げてヒップアップさせるとともに、製造が容易で安価なインナー付き衣服となる。
【００７３】
請求項９の発明にかかるインナー付き衣服は、インナー本体と第２ヨーク部材との間に挟み込まれ、両端をインナー本体に縫付けられた伸縮性生地からなる１対の引張り部材とを具備する。
【００７４】
ここで、インナー本体と１対の第２ヨーク部材と１対の引張り部材とは、全て同じ種類の伸縮性生地からなるものでも良く、それぞれ異なる種類の伸縮性生地からなるものでも良く、これらのうち２つが同じ種類の伸縮性生地からなるものでも良い。また、引張り部材は引張り力を掛けながらインナー本体に縫付けられ、第２ヨーク部材は、引張り部材の上から縫付ける場合は通常は引張り力を掛けない状態でインナー本体に縫付けられるが、引張り力を掛けながらインナー本体に縫付けても良い。
【００７５】
これによって、かかるインナーが内側のウエスト周りに縫付けられた衣服の着用者の臀部が第２ヨーク部材の下部で上方へ引上げられてヒップの丸みが強調される。また、引張り部材は上端と下端のみが縫付けられているので、ヒップアップの効果が一層強化される。
【００７６】
このようにして、着用するだけで十分に臀部の弛みを引き締めてヒップの丸みが強調されるとともにより強力にヒップアップさせることができるインナー付き衣服となる。
【００７７】
請求項１０の発明にかかるインナー付き衣服は、さらに、インナー本体の臀部表側または裏側に左右対称に縫付けられた伸縮性生地からなる１対の第１ヨーク部材を具備し、第１ヨーク部材は上端がインナー本体の上端に達し、下方部分が拡がってインナー本体表側または裏側の脚部の後部付け根部分を覆うように縫付けられている。
【００７８】
ここで、インナー本体と１対の第１ヨーク部材と１対の第２ヨーク部材と１対の引張り部材とは、全て同じ種類の伸縮性生地からなるものでも良く、それぞれ異なる種類の伸縮性生地からなるものでも良く、これらのうち２つまたは３つが同じ種類の伸縮性生地からなるものでも良い。また、第１ヨーク部材は、引張り力を掛けない状態でインナー本体に縫付けても良く、引張り力を掛けながらインナー本体に縫付けても良い。
【００７９】
これによって、請求項５乃至請求項９のいずれか１つに記載の効果に加えて、第１ヨーク部材はインナー本体表側または裏側の脚部の後部付け根部分を覆うように縫付けられており、上端がインナー本体の上端に達しているので、かかるインナーが内側のウエスト周りに縫付けられた衣服の着用者の臀部を上方へ引上げる働きをし、ヒップアップの効果が一層強化される。
【００８０】
このようにして、着用するだけで十分に臀部の弛みを引き締めてヒップの丸みが強調されるとともにより一層強力にヒップアップさせることができるインナー付き衣服となる。
【００８１】
請求項１１の発明にかかるインナー付き衣服は、第１ヨーク部材が下方部分の内側の端がインナー本体の股部分を巻いて脚部の前部付け根部分にまで達している。これによって、かかるインナーが内側のウエスト周りに縫付けられた衣服の着用者の臀部を上方へより強力に引上げる効果のみならず、第１ヨーク部材が普段鍛えられていない太もも内側の内転筋を締め付けるとともに引上げるため、着用して歩くだけで内転筋が鍛えられてシェイプアップされ、太ももをスリムにする効果をも具備する。
【００８２】
このようにして、着用するだけで臀部の弛みを引き上げてより一層効果的にヒップアップさせるとともに、着用して歩行するだけで内転筋が鍛えられて太もも部分がシェイプアップされて美しいプロポーションを得ることができるインナー付き衣服となる。
【００８３】
請求項１２の発明にかかるインナー付き衣服は、第２ヨーク部材が脚部の付け根部分を巻いて太もも部分の前方まで突出している。これによって、かかるインナーが内側のウエスト周りに縫付けられた衣服の着用者の臀部を上方へより強力に引上げる効果のみならず、第２ヨーク部材が普段鍛えられていない太もも内側の内転筋を締め付けるとともに引上げるため、着用して歩くだけで内転筋が鍛えられてシェイプアップされ、太ももをスリムにする効果をも具備する。
【００８４】
このようにして、着用するだけで臀部の弛みを引き上げてより一層効果的にヒップアップさせるとともに、着用して歩行するだけで内転筋が鍛えられて太もも部分がシェイプアップされて美しいプロポーションを得ることができるインナー付き衣服となる。
【００８５】
請求項１３の発明にかかるインナー付き衣服は、さらに第２ヨーク部材と第１ヨーク部材との間に挟み込まれ、両端を第２ヨーク部材に縫付けられた伸縮性生地からなり、上端がインナー本体の上端に達し、下方部分が拡がってインナー本体表側または裏側の脚部の後部付け根部分を覆うように縫付けられている１対の引張り部材を具備する。
【００８６】
ここで、インナー本体と１対の第１ヨーク部材と１対の引張り部材と１対の第２ヨーク部材と１対の引張り部材とは、全て同じ種類の伸縮性生地からなるものでも良く、それぞれ異なる種類の伸縮性生地からなるものでも良く、これらのうち２つまたは３つまたは４つが同じ種類の伸縮性生地からなるものでも良い。また、引張り部材は引張り力を掛けながら第２ヨーク部材に縫付けられ、第１ヨーク部材は、引張り部材の上から縫付ける場合は通常は引張り力を掛けない状態でインナー本体に縫付けられるが、引張り力を掛けながらインナー本体に縫付けても良い。
【００８７】
これによって、かかるインナーが内側のウエスト周りに縫付けられた衣服の着用者の臀部が第１ヨーク部材及び第２ヨーク部材の下部で上方へ引上げられてヒップの丸みが強調されるとともに、引張り部材は上端と下端のみが縫付けられているので、ヒップアップの効果がより一層強化される。
【００８８】
このようにして、着用するだけで十分に臀部の弛みを引き締めてヒップの丸みが強調されるとともに、より一層強力にヒップアップさせることができるインナー付き衣服となる。
【００８９】
請求項１４の発明にかかるインナー付き衣服は、インナー本体の表側または裏側に、両端をインナー本体に縫付けられた伸縮性生地からなり上端がインナー本体の上端に達し下方部分が拡がってインナー本体表側または裏側の脚部の後部付け根部分を覆うように縫付けられている１対の引張り部材、第１ヨーク部材、第１ヨーク部材と第２ヨーク部材との間に挟み込まれ両端を第１ヨーク部材に縫付けられた伸縮性生地からなる１対の引張り部材、第２ヨーク部材の順に縫付けられている。
【００９０】
すなわち、インナーについて、請求項１３の発明にかかる構成と縫付ける順序が逆になっているものである。したがって、同様の効果が得られ、かかるインナーが内側のウエスト周りに縫付けられた衣服の着用者の臀部が第１ヨーク材及び第２ヨーク部材の下部で上方へ引上げられてヒップの丸みが強調されるとともに、引張り部材は上端と下端のみが縫付けられているので、ヒップアップの効果がより一層強化される。
【００９１】
このようにして、着用するだけで十分に臀部の弛みを引き締めてヒップの丸みが強調されるとともに、より一層強力にヒップアップさせることができるインナー付き衣服となる。
【００９２】
請求項１５の発明にかかるインナー付き衣服は、第１ヨーク部材のみまたは第１ヨーク部材及び第１ヨーク部材に縫付けられた伸縮性生地からなる１対の引張り部材が下方部分の内側の端がインナー本体の股部分を巻いて脚部の前部付け根部分にまで達している。これによって、かかるインナーが内側のウエスト周りに縫付けられた衣服の着用者の臀部を上方へより強力に引上げる効果のみならず、第１ヨーク部材のみまたは第１ヨーク部材及び第１ヨーク部材に縫付けられた伸縮性生地からなる１対の引張り部材が普段鍛えられていない太もも内側の内転筋を締め付けるとともに引上げるため、着用して歩くだけで内転筋が鍛えられてシェイプアップされ、太ももをスリムにする効果をも具備する。
【００９３】
このようにして、着用するだけで臀部の弛みを引き上げてより一層効果的にヒップアップさせるとともに、着用して歩行するだけで内転筋が鍛えられて太もも部分がシェイプアップされて美しいプロポーションを得ることができるインナー付き衣服となる。
【００９４】
請求項１６の発明にかかるインナー付き衣服は、インナーに引張り部材が縫付けられた構成において、引張り部材の中間部分には１対以上の枝部分が設けられており、枝部分はインナー本体、第２ヨーク部材、または第１ヨーク部材の表側または裏側に縫付けられている。これによって、上端と下端しか縫付けられていなかった引張り部材が中間部分においても補助的に縫付けられることになり、インナー本体と第１ヨーク部材または第２ヨーク部材との間、或いは第１ヨーク部材と第２ヨーク部材との間において捩れてしまう事態が防止され、特にインナー付き衣服を洗濯する場合に捩れてしまう事態を防止することができる。
【００９５】
このようにして、着用するだけで臀部の弛みを引き上げてより一層効果的にヒップアップさせるとともに、引張り部材が捩れてしまう事態を防止することができるインナー付き衣服となる。
【００９６】
請求項１７の発明にかかるインナー付き衣服は、インナーが第１ヨーク部材及び／または第２ヨーク部材の脚部の付け根部分を巻いて太もも部分の前方まで突出している部分が丸みを帯びた形状を有している。
【００９７】
これによって、請求項１乃至請求項１６に記載の効果に加えて、太もも部分の前方まで突出している部分を縫付ける際に、ミシン縫いでも手縫いでも（特にミシン縫いの際に）丸みを帯びた形状の縁に沿って途中で止まる必要がなく一気に縫付けることができるため、縫製が容易になり製造工程が短縮される。
【００９８】
このようにして、着用するだけで臀部の弛みを引き上げてより一層効果的にヒップアップさせるとともに、着用して歩行するだけで内転筋が鍛えられて太もも部分がシェイプアップされて美しいプロポーションを得ることができるとともに、製造工程を短縮することができるインナー付き衣服となる。
【００９９】
請求項１８の発明にかかるインナー付き衣服は、インナーが第１ヨーク部材及び／または第２ヨーク部材及び／または引張り部材の脚部の付け根部分を巻いて太もも部分の前方まで突出している部分が脚部の裾部分まで達している。
【０１００】
これによって、請求項１乃至請求項１７に記載の効果に加えて、太もも内側がより下方まで第１ヨーク部材及び／または第２ヨーク部材及び／または引張り部材によって締め付けられるため、太もも内側の内転筋を締め付ける効果がより増大して、着用して歩くだけで内転筋が鍛えられてシェイプアップされ、太ももをスリムにする効果がより強力になる。
【０１０１】
このようにして、着用するだけで臀部の弛みを引き上げてより一層効果的にヒップアップさせるとともに、着用して歩行するだけでより強力に内転筋が鍛えられて太もも部分がシェイプアップされて美しいプロポーションを得ることができるインナー付き衣服となる。
【０１０２】
請求項１９の発明にかかるインナー付き衣服は、請求項１乃至請求項１６のいずれか１つの構成において、インナーが衣服の内側のウエスト周りの後半分のみに縫付けられているものである。これによって、衣服の前中心や脇部にファスナー等の分離部分が設けられている場合でも、インナーには分離部分を設ける必要がなく、しかも着用することによって、同等の作用効果を得ることができる。
【０１０３】
このようにして、インナーの衣服への取付けがより簡単で、衣服の前中心や脇部にファスナー等の分離部分が設けられている場合でもインナーには分離部分を設ける必要がなく、着用するだけで同等のヒップアップ等の効果を得ることができるインナー付き衣服となる。
【０１０４】
請求項２０の発明にかかるインナー付き衣服は、請求項１乃至請求項１６のいずれか１つの構成において、インナーは衣服の分離部分の左右を除いたウエスト周り全周の約４分の３に縫付けられているものである。これによって、衣服の前中心や脇部や後中心等にファスナー等の分離部分が設けられている場合でも、インナーには分離部分を設ける必要がなく、しかも着用することによって、同等の作用効果を得ることができる。
【０１０５】
このようにして、インナーの衣服への取付けがより簡単で、衣服の前中心や脇部や後中心等にファスナー等の開閉具が取付けられた分離部分が設けられている場合でもインナーには分離部分を設ける必要がなく、着用するだけで同等のヒップアップ等の効果を得ることができるインナー付き衣服となる。
【０１０６】
請求項２１の発明にかかるインナー付き衣服は、請求項１乃至請求項１６のいずれか１つの構成において、インナーは前中心または脇部または後中心に衣服の前中心または脇部または後中心の分離部分に設けられた開閉具の長さ以上の分離部分を有し、インナーは衣服の内側のウエスト周り全周及び衣服の開閉具の縫代部分に縫付けられている。
【０１０７】
ここで、開閉具としては、ファスナー、複数のボタンとボタンホール、複数の１対ずつのドット釦、１対の接着布（マジックテープ（登録商標））、等を用いることができる。これによって、全体が伸縮性生地からなるインナーが縫付けられたインナー付き衣服の着用がより容易になり、しかも着用することによって同等の作用効果を得ることができる。
【０１０８】
このようにして、インナー付き衣服の着用がより容易で、着用するだけで同等のヒップアップ等の効果を得ることができるインナー付き衣服となる。
【０１０９】
請求項２２の発明にかかるインナー付き衣服は、衣服の前中心または脇部または後中心の分離部分に設けられた開閉具の位置に対応するインナー本体の前中心または脇部または後中心には開閉具がインナーを開閉自在に設けられているものである。ここで、開閉具としては、ファスナー、複数のボタンとボタンホール、複数の１対ずつのドット釦、１対の接着布（マジックテープ（登録商標））、等を用いることができる。
【０１１０】
本発明のインナー付き衣服に用いられるインナーは、全ての部分が伸縮性生地からなるため引き締め効果は大きいが、その分インナーを縫付けたインナー付き衣服の着用に時間が掛かる場合があった。そこで、インナー付き衣服における衣服のファスナー等の開閉具が設けられている分離部分の位置に合わせて、インナー本体の前中心または脇部または後中心にファスナー等の開閉具を開閉自在に設けることによって、インナー付き衣服の着用時にはインナー付き衣服の開閉具を開くとともにインナーの開閉具を開いて着用し、その後インナーの開閉具を閉めることによって、引き締め効果を保持しつつ容易に着用することができる。
【０１１１】
このようにして、インナー付き衣服の着用がより容易で、着用するだけで同等のヒップアップ等の効果を得ることができるインナー付き衣服となる。
【０１１２】
請求項２３の発明にかかるインナー付き衣服は、伸縮性生地がサテンネット（ストレッチサテン）、パワーネット、ストレッチレースのいずれかである。即ち、インナーを構成するインナー本体がサテンネット（ストレッチサテン）、パワーネット、ストレッチレースのいずれかであり、第１ヨーク部材がサテンネット（ストレッチサテン）、パワーネット、ストレッチレースのいずれかであり、第２ヨーク部材がサテンネット（ストレッチサテン）、パワーネット、ストレッチレースのいずれかであり、２種類の引張り部材がサテンネット（ストレッチサテン）、パワーネット、ストレッチレースのいずれかである。
【０１１３】
サテンネット（ストレッチサテン）、パワーネット、ストレッチレースは、いずれも伸縮性を有し、入手も容易であるため、インナー付き衣服用のインナーの各部材を構成するのに適している。したがって、上記の如く、各部材について全ての組み合わせが可能であるが、特に引張り部材のように強力な引張り力が必要な部材には、最も伸縮性の強いサテンネット（ストレッチサテン）を用いるのがより好ましい。
【０１１４】
このようにして、着用するだけで臀部の弛みを引き上げてより一層効果的にヒップアップさせることができるインナー付き衣服となる。
【０１１５】
請求項２４の発明にかかるインナー付き衣服は、インナーが衣服の裏側に着脱可能であるものである。これによって、インナーが不要である場合やインナーのみを洗濯したい場合には、自由に取り外すことができ、使い勝手の良いインナー付き衣服となる。
【０１１６】
請求項２５の発明にかかるインナー付き衣服は、通常のガードル型のインナーが衣服の裏側に着脱可能であるものである。通常のガードルも下半身を締め付けて体形を補整する効果を有するが、上述したように、ガードルとズボン（パンツ、スラックス）やスカート等の衣服を別々に着用することは煩雑である。しかし、ガードルをこれらの衣服の裏側に縫付けてしまったのでは、ガードルが不要である場合やガードルのみを洗濯したい場合にも、取り外すことができないという問題がある。
【０１１７】
そこで、着脱具を用いてガードルを衣服の裏側に着脱可能とすることによって、ガードルが不要である場合やガードルのみを洗濯したい場合には、自由に取り外すことができ、使い勝手の良いインナー付き衣服となる。
【０１１８】
請求項２６の発明にかかるインナー付き衣服は、衣服のウエストベルトの裏側にＺナップの凸側または凹側が複数個取付けられ、インナーの上端にＺナップの凹側または凸側が複数個取付けられて、衣服のウエストベルトの裏側のＺナップの凸側または凹側がインナーの上端のＺナップの凹側または凸側と嵌合させられ或いは取外されることによって、インナーが衣服の裏側に着脱可能である。
【０１１９】
本発明にかかるインナー付き衣服においては、着脱具としてＺナップを用いているが、Ｚナップは極く小型の樹脂製の着脱具で嵌合させた状態でも平坦なので、衣服のウエストベルトの厚さに埋もれてしまって肌を点状に圧迫することがなく、金属製の部品の冷感も与えない。したがって、肌に直接触れることがあったとしても、着用者は全く気にならず、長時間着用しても肌に跡が付くこともない。
【０１２０】
このようにして、インナーが衣服の裏側に着脱可能であって、着脱具が肌を刺激することがなく、快適に長時間着用することができ、着用するだけで臀部の弛みを引き上げてより一層効果的にヒップアップさせることができるインナー付き衣服となる。
【０１２１】
請求項２７の発明にかかるインナー付き衣服は、衣服のウエストベルトの裏側にＺナップの凸側または凹側が複数個取付けられるとともに、複数のループ或いは複数のボタンまたは複数の雄型スプリングホックが取付けられ、インナーの上端にＺナップの凹側または凸側が複数個取付けられるとともにインナーの表側に複数のボタンまたは複数の雄型スプリングホック或いは複数のループが取付けられて、衣服のウエストベルトの裏側のＺナップの凸側または凹側がインナーの上端のＺナップの凹側または凸側と嵌合させられ或いは取外されるとともにループにボタンまたは雄型スプリングホックが嵌められ或いは外されることによって、インナーが衣服の裏側に着脱可能である。
【０１２２】
上記の如く、Ｚナップは使い勝手の良い着脱具であるが、激しい動きや大きな引張り力が掛かった場合には、外れてしまうことがある。そこで、補助的に複数のループと複数のボタンまたは複数の雄型スプリングホックによって取付けておくことによって、Ｚナップが万一外れてしまった場合にも、インナーが落ちるのを防ぐことができる。
【０１２３】
このようにして、インナーが衣服の裏側に着脱可能であって、着脱具が肌を刺激することがなく、快適に長時間着用することができ、着用するだけで臀部の弛みを引き上げてより一層効果的にヒップアップさせることができるインナー付き衣服となる。
【０１２４】
請求項２８の発明にかかるインナー付き衣服は、衣服のウエストベルトの裏側にランジェリーフックアイテープの雌側または雄側が取付けられ、インナーの表側にランジェリーフックアイテープの雄側または雌側が取付けられて、ランジェリーフックアイテープの雌フックにランジェリーフックアイテープの雄フックが係合させられ或いは取外されることによって、インナーが衣服の裏側に着脱可能である。
【０１２５】
本発明にかかるインナー付き衣服におけるランジェリーフックアイテープは、布製のテープに複数の金属製の雄フックまたは雌フックが一定間隔で取付けられたものである。したがって、雄フックを雌フックに係合させた状態で肌に触れると、金属特有の冷感と圧迫感を受けることになるが、本発明においてはランジェリーフックアイテープの一方がインナーの表側に取付けられているため、雄フックまたは雌フックが直接肌に触れることがなく、肌が部分的に圧迫されることもない。
【０１２６】
このようにして、インナーが衣服の裏側に着脱可能であって、着脱具が肌を刺激することがなく、快適に長時間着用することができ、着用するだけで臀部の弛みを引き上げてより一層効果的にヒップアップさせることができるインナー付き衣服となる。
【０１２７】
請求項２９の発明にかかるインナー付き衣服は、衣服のウエストベルトの裏側に複数の糸ループ或いは複数のボタンまたは複数の雄型スプリングホックが取付けられ、インナーの表側に複数のボタンまたは複数の雄型スプリングホックまたは複数の糸ループが取付けられて、糸ループにボタンまたは雄型スプリングホックが嵌められ或いは外されることによって、インナーが衣服の裏側に着脱可能である。
【０１２８】
本発明にかかるインナー付き衣服においては、複数の糸ループ或いは複数のボタンまたは複数の雄型スプリングホックがインナーの表側に取付けられているため、ボタンまたは雄型スプリングホックが直接肌に触れることがなく、肌が部分的に圧迫されることもない。
【０１２９】
このようにして、インナーが衣服の裏側に着脱可能であって、着脱具が肌を刺激することがなく、快適に長時間着用することができ、着用するだけで臀部の弛みを引き上げてより一層効果的にヒップアップさせることができるインナー付き衣服となる。
【０１３０】
請求項３０の発明にかかるインナー付き衣服は、衣服のウエストベルトの裏側に複数のルーパー或いは複数のボタンまたは複数の雄型スプリングホックが取付けられ、インナーの表側に複数のボタンまたは複数の雄型スプリングホック或いは複数のルーパーが取付けられて、ルーパーにボタンまたは雄型スプリングホックが嵌められ或いは外されることによって、インナーが衣服の裏側に着脱可能である。
【０１３１】
本発明にかかるインナー付き衣服においては、複数のルーパー或いは複数のボタンまたは複数の雄型スプリングホックがインナーの表側に取付けられているため、ボタンまたは雄型スプリングホックが直接肌に触れることがなく、肌が部分的に圧迫されることもない。
【０１３２】
このようにして、インナーが衣服の裏側に着脱可能であって、着脱具が肌を刺激することがなく、快適に長時間着用することができ、着用するだけで臀部の弛みを引き上げてより一層効果的にヒップアップさせることができるインナー付き衣服となる。
【０１３３】
請求項３１の発明にかかるインナー付き衣服は、衣服のウエストベルトの裏側に複数の表地バイアスループまたは裏地バイアスループ或いは複数のボタンまたは複数の雄型スプリングホックが取付けられ、インナーの表側に複数のボタンまたは複数の雄型スプリングホック或いは複数の表地バイアスループまたは裏地バイアスループが取付けられて、表地バイアスループまたは裏地バイアスループにボタンまたは雄型スプリングホックが嵌められ或いは外されることによって、インナーが衣服の裏側に着脱可能である。
【０１３４】
本発明にかかるインナー付き衣服は、複数の表地バイアスループまたは裏地バイアスループ或いは複数のボタンまたは複数の雄型スプリングホックがインナーの表側に取付けられているため、ボタンまたは雄型スプリングホックが直接肌に触れることがなく、肌が部分的に圧迫されることもない。
【０１３５】
このようにして、インナーが衣服の裏側に着脱可能であって、着脱具が肌を刺激することがなく、快適に長時間着用することができ、着用するだけで臀部の弛みを引き上げてより一層効果的にヒップアップさせることができるインナー付き衣服となる。
【０１３６】
請求項３２の発明にかかるインナー付き衣服は、衣服のウエストベルトの裏側に複数のチイまたは複数のボタンが取付けられ、インナーの表側に複数のボタンまたは複数のチイが取付けられて、チイにボタンが嵌められ或いは外されることによって、インナーが衣服の裏側に着脱可能である。
【０１３７】
本発明にかかるインナー付き衣服においては、複数のチイまたは複数のボタンがインナーの表側に取付けられているため、ボタンが直接肌に触れることがなく、肌が部分的に圧迫されることもない。
【０１３８】
このようにして、インナーが衣服の裏側に着脱可能であって、着脱具が肌を刺激することがなく、快適に長時間着用することができ、着用するだけで臀部の弛みを引き上げてより一層効果的にヒップアップさせることができるインナー付き衣服となる。
【０１３９】
請求項３３の発明にかかるインナー付き衣服は、衣服のウエストベルトの裏側に複数のボタンホールが設けられた布テープまたはゴムテープ或いは複数のボタンが取付けられ、インナーの表側に複数のボタン或いは複数のボタンホールが設けられた布テープまたはゴムテープが取付けられて、ボタンホールにボタンが嵌められ或いは外されることによって、インナーが衣服の裏側に着脱可能である。
【０１４０】
本発明にかかるインナー付き衣服においては、複数のボタンホールが設けられた布テープまたはゴムテープ或いは複数のボタンがインナーの表側に取付けられているため、ボタンが直接肌に触れることがなく、肌が部分的に圧迫されることもない。
【０１４１】
このようにして、インナーが衣服の裏側に着脱可能であって、着脱具が肌を刺激することがなく、快適に長時間着用することができ、着用するだけで臀部の弛みを引き上げてより一層効果的にヒップアップさせることができるインナー付き衣服となる。
【０１４２】
請求項３４の発明にかかるインナー付き衣服は、衣服のウエストベルトの裏側に複数の雄型または雌型スプリングホックが取付けられ、インナーの表側に複数の雌型または雄型スプリングホックが取付けられて、雄型スプリングホックと雌型スプリングホックが嵌合させられ或いは外されることによって、インナーが衣服の裏側に着脱可能である。
【０１４３】
本発明にかかるインナー付き衣服においては、複数の雌型または雄型スプリングホックがインナーの表側に取付けられているため、雌型または雄型スプリングホックが直接肌に触れることがなく、肌が部分的に圧迫されることもない。
【０１４４】
このようにして、インナーが衣服の裏側に着脱可能であって、着脱具が肌を刺激することがなく、快適に長時間着用することができ、着用するだけで臀部の弛みを引き上げてより一層効果的にヒップアップさせることができるインナー付き衣服となる。
【０１４５】
請求項３５の発明にかかるインナー付き衣服は、衣服のウエストベルトの裏側に複数の凸側または凹側のドット釦或いは複数の凸側または凹側のドット釦が付いたドット・スナップテープが取付けられ、インナーの表側に複数の凹側または凸側のドット釦或いは複数の凹側または凸側のドット釦が付いたドット・スナップテープが取付けられて、凸側または凹側のドット釦に凹側または凸側のドット釦が嵌められ或いは外されることによって、インナーが衣服の裏側に着脱可能である。
【０１４６】
本発明にかかるインナー付き衣服は、複数の凸側または凹側のドット釦或いは複数の凸側または凹側のドット釦が付いたドット・スナップテープがインナーの表側に取付けられているため、凸側または凹側のドット釦が直接肌に触れることがなく、肌が部分的に圧迫されることもない。
【０１４７】
このようにして、インナーが衣服の裏側に着脱可能であって、着脱具が肌を刺激することがなく、快適に長時間着用することができ、着用するだけで臀部の弛みを引き上げてより一層効果的にヒップアップさせることができるインナー付き衣服となる。
【０１４８】
請求項３６の発明にかかるインナー付き衣服は、衣服のウエストベルトの裏側に一または二以上のオープンファスナーの雄側または雌側が取付けられ、インナーの表側に一または二以上のオープンファスナーの雌側または雄側が取付けられて、オープンファスナーの雄側と雌側とが全て接続され或いは全て外されることによって、インナーが衣服の裏側に着脱可能である。
【０１４９】
本発明にかかるインナー付き衣服におけるオープンファスナーとしては、複数の短めのオープンファスナーを取付けても良いし、インナーの表側の後ろ中心から左右に前まで伸びる２個のオープンファスナーとしても良いし、インナーの表側を一周する１個の長いオープンファスナーを取付けても良い。このように、オープンファスナーの雄側または雌側がインナーの表側に取付けられているため、オープンファスナーの雄側または雌側が直接肌に触れることがなく、肌が部分的に圧迫されることもない。
【０１５０】
このようにして、インナーが衣服の裏側に着脱可能であって、着脱具が肌を刺激することがなく、快適に長時間着用することができ、着用するだけで臀部の弛みを引き上げてより一層効果的にヒップアップさせることができるインナー付き衣服となる。
【０１５１】
請求項３７の発明にかかるインナー付き衣服は、衣服のウエストベルトの裏側に間隔を空けて複数のホールの付いたレース生地或いは複数のボタンまたは複数の雄型スプリングホックが取付けられ、インナーの表側に複数のボタンまたは複数の雄型スプリングホック或いは間隔を空けて複数のホールの付いたレース生地が取付けられて、レース生地のホールにボタンまたは雄型スプリングホックが嵌められ或いは外されることによって、インナーが衣服の裏側に着脱可能である。
【０１５２】
本発明にかかるインナー付き衣服は、複数のホールの付いたレース生地或いは複数のボタンまたは複数の雄型スプリングホックがインナーの表側に取付けられているため、ボタンまたは雄型スプリングホックが直接肌に触れることがなく、肌が部分的に圧迫されることもない。
【０１５３】
このようにして、インナーが衣服の裏側に着脱可能であって、着脱具が肌を刺激することがなく、快適に長時間着用することができ、着用するだけで臀部の弛みを引き上げてより一層効果的にヒップアップさせることができるインナー付き衣服となる。
【０１５４】
請求項３８の発明にかかるインナー付き衣服は、衣服のウエストベルトの裏側に複数の接着布（マジックテープ（登録商標））の硬い側または軟らかい側が取付けられ、インナーの表側に複数の接着布の軟らかい側または硬い側が取付けられて、接着布の硬い側と軟らかい側とが接着され或いは剥がされることによって、インナーが衣服の裏側に着脱可能である。
【０１５５】
本発明にかかるインナー付き衣服は、複数の接着布の軟らかい側または硬い側がインナーの表側に取付けられているため、接着布の軟らかい側または硬い側が直接肌に触れることがなく、肌が部分的に圧迫されることもない。
【０１５６】
このようにして、インナーが衣服の裏側に着脱可能であって、着脱具が肌を刺激することがなく、快適に長時間着用することができ、着用するだけで臀部の弛みを引き上げてより一層効果的にヒップアップさせることができるインナー付き衣服となる。
【０１５７】
請求項３９の発明にかかるインナー付き衣服は、衣服のウエストベルトの裏側にキセを設けて衣服のウエストベルトの裏側に取付けられた着脱具の一方がキセの下に隠れるようにしたインナーが衣服の裏側に着脱可能であるものである。
【０１５８】
これによって、インナーを装着しないときには普通の衣服（紳士用ズボン、婦人用パンツ、スカート等）に見え、インナーを装着したときには、着脱具が隠れて見栄えが良くなる。さらに、キセ分の布地２枚が間に挟まることによって、着脱具の肌への当りもより一層少なくなり、快適に長時間着用できるインナー付き衣服となる。
【０１５９】
請求項４０の発明にかかるインナー付き衣服は、衣服のウエストベルトの裏側に設けられたキセを貫通して複数のボタンホールが設けられ、またはキセの内側の布のみに複数の隠し穴かがりが設けられ、インナーの表側に複数のボタンが取付けられて、ボタンホールまたは隠し穴かがりにボタンが嵌められ或いは外されることによって、インナーが衣服の裏側に着脱可能である。
【０１６０】
これによって、ボタンホール用の布テープ、ゴムテープを縫付けなくても、直接キセを貫通させて複数のボタンホールを設けることができる。さらに、キセの内側の布のみに複数の隠し穴かがりを設けることによって、ボタンホール（穴かがり）を隠すことができる。
【０１６１】
このようにして、インナーを装着しないときには普通の衣服（紳士用ズボン、婦人用パンツ、スカート等）に見え、インナーを装着したときには、ボタンが隠れて見栄えが良くなる。さらに、キセ分の布地２枚が間に挟まることによって、ボタンの肌への当りもより一層少なくなり、快適に長時間着用できるインナー付き衣服となる。
【０１６２】
請求項４１の発明にかかるインナー付き衣服は、インナー本体がガードル本体であり、インナー付き衣服が女性用のガードル付き衣服である。インナー付き衣服としては、まだまだ女性用の需要が圧倒的に多い。そこで、ガードル本体を中心として、請求項１乃至請求項４０の発明にかかるインナー付き衣服を女性用のガードル付き衣服とすることによって、世の中の多くの女性の要求に答えることができる。
【発明を実施するための最良の形態】
【０１６３】
以下、本発明の実施の形態について、図面を参照しつつ説明する。
【０１６４】
実施の形態１
まず、本発明の実施の形態１について、図１乃至図５を参照して説明する。
【０１６５】
図１（ａ）は本発明の実施の形態１にかかるインナー付き衣服の全体構成を示す正面図、（ｂ）は背面図、（ｃ）はインナー取付け部分の構成を示す斜視図である。図２（ａ）は本発明の実施の形態１の第１変形例にかかるインナー付き衣服の全体構成を示す正面図、（ｂ）は背面図である。図３は本発明の実施の形態１の第２変形例にかかるインナー付き衣服のインナー取付け部分の構成を示す斜視図である。図４（ａ）は本発明の実施の形態１の第３変形例にかかるインナー付き衣服の全体構成を示す正面図、（ｂ）は背面図である。図５（ａ）は本発明の実施の形態１にかかるインナー付き衣服におけるインナーの全体構成を示す正面図、（ｂ）は背面図である。
【０１６６】
図１（ａ），（ｂ）に示されるように、本実施の形態１にかかるインナー付き衣服１は、衣服としてのパンツ２のウエストベルト２Ａ裏側に、伸縮性生地からなるガードル型のインナー４が縫付けられているものである。そして、図１（ｃ）に示されるように、インナー４はパンツ２の前中心のファスナー３部分において、ファスナー３の長さ以上の分離部分を有し、インナー４がパンツ２のウエスト周り全周及びファスナー３の縫代部分に縫付けられている。
【０１６７】
また、図２（ａ），（ｂ）に示されるように、本実施の形態１の第１変形例にかかるインナー付き衣服５は、衣服としてのタイトスカート６のウエストベルト６Ａ裏側に、伸縮性生地からなるガードル型のインナー４が縫付けられているものである。そして、インナー４はタイトスカート６の後中心のファスナー７部分において、ファスナー７の長さ以上の分離部分を有し、インナー４がタイトスカート６のウエスト周り全周及びファスナー７の縫代部分に縫付けられている。
【０１６８】
また、図３に示されるように、本実施の形態１の第２変形例にかかるインナー付き衣服８は、衣服としてのパンツ２のウエストベルト２Ａ裏側の後半分だけに、伸縮性生地からなるガードル型のインナー４が縫付けられているものである。これによって、パンツ２の前中心にファスナー３が設けられている場合でも、インナー４には分離部分を設ける必要がなく、しかもインナー４のパンツ２への取付けがより簡単になる。
【０１６９】
また、図４（ａ），（ｂ）に示されるように、本実施の形態１の第３変形例にかかるインナー付き衣服９は、衣服としてのワンピース１０のウエスト周り裏側全周に、伸縮性生地からなるガードル型のインナー４が縫付けられているものである。ここで、図４（ｂ）に示されるように、ワンピース１０の背中側のファスナー１１が長いため、ワンピース１０は足から佩いて着用することができ、インナー４がウエスト周り裏側全周に縫付けられていても、着用の妨げになることはない。これによって、インナー４には分離部分を設ける必要がない。
【０１７０】
次に、本実施の形態１にかかるガードル型のインナー４の詳細な構造について、図５を参照して説明する。図５（ａ）に示されるように、本実施の形態１にかかるガードル型のインナー４は、脚部１２Ａ，１２Ｂを有し伸縮性生地としてのサテンネット（ストレッチサテン）からなるガードル型のインナー本体１２と、インナー本体１２の表側の前中心１２Ｃ上端から脚部１２Ａ，１２Ｂの付け根部分を巻いて左右対称に縫付けられた伸縮性生地としてのサテンネット（ストレッチサテン）からなる１対の第２ヨーク部材１３Ａ，１３Ｂとを具備し、第２ヨーク部材１３Ａ，１３Ｂは脚部１２Ａ，１２Ｂの前方まで突出している。ここで、１対の第２ヨーク部材１３Ａ，１３Ｂは、引張り力を掛けながらインナー本体１２の表側に縫付けられている。
【０１７１】
これによって、図５（ａ）に示されるように、かかるインナー４をウエスト周りの裏側に縫付けた衣服の着用者の腹部が第２ヨーク部材１３Ａ，１３Ｂの上部で締め付けられて引き締められるとともに、図５（ｂ）に示されるように、臀部が第２ヨーク部材１３Ａ，１３Ｂの下部で上方へ強力に引上げられてヒップの丸みが強調される。また、構造が簡単であるため製造が容易で安価なインナー付き衣服となる。
【０１７２】
さらに、第２ヨーク部材１３Ａ，１３Ｂがインナー本体１２の表側に縫付けられているため、インナー付き衣服を内側から見た場合にインナー本体１２の内側には何も縫付けられておらず見栄えが良く、また着用感も一段と向上する。さらに、第２ヨーク部材１３Ａ，１３Ｂが普段鍛えられていない太もも内側の内転筋を締め付けるとともに引上げるため、着用して歩くだけで内転筋が鍛えられてシェイプアップされ、太ももをスリムにする効果をも具備する。
【０１７３】
このようにして、本実施の形態１にかかるガードル型のインナー４をウエスト裏側に縫付けたインナー付き衣服１，５，８，９は、着用するだけで十分に臀部及び腹部の弛みを引き締めて強力にヒップアップさせることができ、さらに着用して歩行するだけで内転筋が鍛えられて太ももがシェイプアップされて美しいプロポーションを得ることができ、着用感も一段と向上し、製造が容易で安価となる。なお、インナー付き衣服１，５においては、インナー４の前中心１２Ｃ，後中心１２Ｄにそれぞれファスナー３，７よりも長い分離部分を設けて、当該分離部分をファスナー３，７の裏側の縫代部分に縫付ける必要がある。
【０１７４】
本実施の形態１においては、インナー４を構成する伸縮性生地としてサテンネット（ストレッチサテン）を使用した場合について説明したが、パワーネット、ストレッチレースを始めとして他の伸縮性生地を用いても良い。また、インナー本体１２と第２ヨーク部材１３Ａ，１３Ｂとを異なる種類の伸縮性生地から作製しても良い。
【０１７５】
実施の形態２
次に、本発明の実施の形態２にかかるインナー付き衣服について、図６を参照して説明する。図６（ａ）は本発明の実施の形態２にかかるインナー付き衣服に用いられるインナーの全体構成を示す正面図、（ｂ）は背面図である。
【０１７６】
図６（ｂ）に示されるように、本実施の形態２にかかるインナー付き衣服に用いられるインナー１５は、脚部１２Ａ，１２Ｂを有し伸縮性生地としてのパワーネットからなるガードル型のインナー本体１２と、インナー本体１２の臀部表側に左右対称に縫付けられた伸縮性生地としてのパワーネットからなる１対の第１ヨーク部材１６Ａ，１６Ｂとを具備し、第１ヨーク部材１６Ａ，１６Ｂは上端がインナー本体１２の上端に達しており、下方部分が拡がってインナー本体１２の表側の脚部１２Ａ，１２Ｂの後部付け根部分を覆うように縫付けられている。
【０１７７】
さらに、図６（ａ）に示されるように、第１ヨーク部材１６Ａ，１６Ｂの下方部分の内側の端がインナー本体１２の股部分を巻いて脚部１２Ａ，１２Ｂの前部付け根部分にまで達している。ここで、１対の第１ヨーク部材１６Ａ，１６Ｂは引張り力を掛けながらインナー本体１２の表側に縫付けられている。
【０１７８】
このように、第１ヨーク部材１６Ａ，１６Ｂはインナー本体１２の表側の脚部１２Ａ，１２Ｂの後部付け根部分を覆うように縫付けられており、上端がインナー本体１２の上端に達しているので、かかるインナー１５をウエスト裏側に縫付けた衣服の着用者の臀部を上方へ引上げる働きをする。また、構造が簡単であるため、製造が容易で安価なインナー付き衣服となる。さらに、第１ヨーク部材１６Ａ，１６Ｂがインナー本体１２の表側に縫付けられているため、インナー付き衣服を内側から見た場合にインナー本体１２の内側には何も縫付けられておらず見栄えが良く、また着用感も一段と向上する。
【０１７９】
さらに、第１ヨーク部材１６Ａ，１６Ｂの下方部分の内側端がインナー本体１２の股部分を巻いて脚部１２Ａ，１２Ｂの前部付け根部分にまで達しているため、普段鍛えられていない太もも内側の内転筋を締め付けるとともに引上げ、着用して歩くだけで内転筋が鍛えられてシェイプアップされ、太ももをスリムにする効果をも具備する。
【０１８０】
このようにして、本実施の形態２にかかるインナー１５をウエスト裏側に縫付けたインナー付き衣服は、着用するだけで十分に臀部の弛みを引き締めてヒップアップさせ、さらに着用して歩行するだけで内転筋が鍛えられて太ももがシェイプアップされて美しいプロポーションを得ることができ、着用感も一段と向上し、製造が容易で安価となる。
【０１８１】
本実施の形態２にかかるインナー１５も、実施の形態１にかかるインナー４と同様に、衣服としてのパンツ２、タイトスカート６、ワンピース１０を始めとして、種々の衣服のウエスト裏側に縫付けることができる。このうち、パンツ２にインナー１５の後半分だけ縫付ける場合、ワンピース１０に縫付ける場合には、分離部分を設ける必要はないが、パンツ２またはタイトスカート６にインナー１５の全周を縫付ける場合には、インナー１５の前中心１２Ｃ，後中心１２Ｄにそれぞれファスナー３，７よりも長い分離部分を設けて、当該分離部分をファスナー３，７の裏側の縫代部分に縫付ける必要がある。
【０１８２】
本実施の形態２においては、インナー１５を構成する伸縮性生地としてパワーネットを使用した場合について説明したが、サテンネット（ストレッチサテン）、ストレッチレースを始めとして他の伸縮性生地を用いても良い。また、インナー本体１２と第１ヨーク部材１６Ａ，１６Ｂとを異なる種類の伸縮性生地から作製しても良い。
【０１８３】
実施の形態３
次に、本発明の実施の形態３にかかるインナー付き衣服について、図７を参照して説明する。図７（ａ）は本発明の実施の形態３にかかるインナー付き衣服に用いられるインナーの全体構成を示す正面図、（ｂ）は背面図である。
【０１８４】
図７（ａ）に示されるように、本実施の形態３にかかるインナー付き衣服に用いられるインナー２０は、脚部１２Ａ，１２Ｂを有し伸縮性生地としてのパワーネットからなるインナー本体１２と、インナー本体１２の表側の前中心１２Ｃ上端から脚部１２Ａ，１２Ｂの付け根部分を巻いて左右対称に縫付けられた伸縮性生地としてのパワーネットからなる１対の第２ヨーク部材１３Ａ，１３Ｂとを具備し、第２ヨーク部材１３Ａ，１３Ｂは脚部１２Ａ，１２Ｂの前方まで大きく突出している。
【０１８５】
さらに、図７（ｂ）に示されるように、インナー本体１２の臀部表側に左右対称に縫付けられた伸縮性生地としてのパワーネットからなる１対の第１ヨーク部材１６Ａ，１６Ｂをも具備し、第１ヨーク部材１６Ａ，１６Ｂは上端がインナー本体１２の上端に達しており、下方部分が拡がってインナー本体１２の表側の脚部１２Ａ，１２Ｂの後部付け根部分を覆うように縫付けられ、下方部分の内側の端がインナー本体１２の股部分を巻いて脚部１２Ａ，１２Ｂの前部付け根部分にまで達している。
【０１８６】
これによって、図７（ａ）に示されるように、かかるインナー２０がウエスト裏側に縫付けられた衣服の着用者の腹部が第２ヨーク部材１３Ａ，１３Ｂの上部で締め付けられて引き締められるとともに、図７（ｂ）に示されるように、臀部が第２ヨーク部材１３Ａ，１３Ｂの下部で上方へ強力に引上げられてヒップの丸みが強調される。また、第１ヨーク部材１６Ａ，１６Ｂはインナー本体１２の表側の脚部１２Ａ，１２Ｂの後部付け根部分を覆うように縫付けられており、上端がインナー本体１２の上端に達しているので、着用者の臀部を上方へ引上げる働きをする。
【０１８７】
さらに、第１ヨーク部材１６Ａ，１６Ｂの下方部分の内側端及び第２ヨーク部材１３Ａ，１３Ｂがインナー本体１２の股部分を巻いて脚部１２Ａ，１２Ｂの前部付け根部分にまで大きく突出しているため、普段鍛えられていない太もも内側の内転筋が締め付けられるとともに引上げられ、着用して歩くだけで内転筋が鍛えられてシェイプアップされ、太ももをスリムにする効果をも具備する。
【０１８８】
また、第１ヨーク部材１６Ａ，１６Ｂ及び第２ヨーク部材１３Ａ，１３Ｂはインナー本体１２の表側に縫付けられているため、インナー付き衣服を内側から見た場合にインナー本体１２の内側には何も縫付けられておらず見栄えが良く、着用感も一段と向上する。
【０１８９】
このようにして、本実施の形態３にかかるインナー２０が縫付けられたインナー付き衣服は、着用するだけで十分に臀部の弛みを引き締めてヒップアップさせ、さらに着用して歩行するだけで内転筋が鍛えられて太ももがシェイプアップされて美しいプロポーションを得ることができ、着用感も一段と向上する。
【０１９０】
本実施の形態３にかかるインナー２０も、実施の形態１にかかるインナー４と同様に、衣服としてのパンツ２、タイトスカート６、ワンピース１０を始めとして、種々の衣服のウエスト裏側に縫付けることができる。このうち、パンツ２にインナー２０の後半分だけ縫付ける場合、ワンピース１０に縫付ける場合には、分離部分を設ける必要はないが、パンツ２またはタイトスカート６にインナー２０の全周を縫付ける場合には、インナー２０の前中心１２Ｃ，後中心１２Ｄにそれぞれファスナー３，７よりも長い分離部分を設けて、当該分離部分をファスナー３，７の裏側の縫代部分に縫付ける必要がある。
【０１９１】
本実施の形態３においては、インナー２０を構成する伸縮性生地としてパワーネットを使用した場合について説明したが、サテンネット（ストレッチサテン）、ストレッチレースを始めとして他の伸縮性生地を用いても良い。また、インナー本体１２と第１ヨーク部材１６Ａ，１６Ｂと第２ヨーク部材１３Ａ，１３Ｂとを異なる種類の伸縮性生地から作製しても良い。
【０１９２】
実施の形態４
次に、本発明の実施の形態４にかかるインナー付き衣服について、図８を参照して説明する。図８（ａ）は本発明の実施の形態４にかかるインナー付き衣服に用いられるインナーの全体構成を示す正面図、（ｂ）は背面図である。
【０１９３】
図８（ａ）に示されるように、本実施の形態４にかかるインナー付き衣服に用いられるインナー２２は、脚部１２Ａ，１２Ｂを有し伸縮性生地としてのパワーネットからなるインナー本体１２と、その表側の前中心１２Ｃの上端から脚部１２Ａ，１２Ｂの付け根部分を巻いて左右対称に縫付けられた伸縮性生地としてのパワーネットからなる１対の第２ヨーク部材１３Ａ，１３Ｂと、インナー本体１２の表側と第２ヨーク部材１３Ａ，１３Ｂとの間に挟み込まれ、両端をインナー本体１２に縫付けられた伸縮性生地としてのサテンネット（ストレッチサテン）からなり、中間部分に各２対の枝部分２４を有する１対の引張り部材２３Ａ，２３Ｂとを具備する。
【０１９４】
ここで、１対の引張り部材２３Ａ，２３Ｂは引張り力を掛けながらインナー本体１２の表側に上端、下端、及び枝部分２４が縫付けられ、１対の第２ヨーク部材１３Ａ，１３Ｂは引張り力を掛けない状態で、引張り部材２３Ａ，２３Ｂの上からインナー本体１２の表側に縫付けられる。
【０１９５】
これによって、かかるインナー２２をウエスト裏側に縫付けられた衣服の着用者の腹部が第２ヨーク部材１３Ａ，１３Ｂ及び引張り部材２３Ａ，２３Ｂの上部で締め付けられて引き締められるとともに、図８（ｂ）に示されるように、着用者の臀部が第２ヨーク部材１３Ａ，１３Ｂの下部で上方へ引上げられてヒップの丸みが強調され、また引張り部材２３Ａ，２３Ｂは上端と下端及び枝部分２４のみがインナー本体１２に縫付けられているので、ヒップアップの効果が一層強化される。また、枝部分２４がインナー本体１２に縫付けられているので、引張り部材２３Ａ，２３Ｂが捩れることがない。
【０１９６】
さらに、第２ヨーク部材１３Ａ，１３Ｂ及び引張り部材２３Ａ，２３Ｂが脚部１２Ａ，１２Ｂの付け根部分を巻いて脚部１２Ａ，１２Ｂの前方まで大きく突出していることによって、第２ヨーク部材１３Ａ，１３Ｂ及び引張り部材２３Ａ，２３Ｂが普段鍛えられていない太もも内側の内転筋を締め付けるとともに引上げるため、着用して歩くだけで内転筋が鍛えられてシェイプアップされ、太ももをスリムにする効果をも具備する。
【０１９７】
また、第２ヨーク部材１３Ａ，１３Ｂ及び引張り部材２３Ａ，２３Ｂはインナー本体１２の表側に縫付けられているため、インナー付き衣服を内側から見た場合にインナー本体１２の内側には何も縫付けられておらず見栄えが良く、着用感も一段と向上する。
【０１９８】
このようにして、本実施の形態４にかかるインナー２２が縫付けられたインナー付き衣服は、着用するだけで十分に腹部の弛みを引き締めるとともに十分に臀部の弛みを引き締めてヒップアップさせ、さらに着用して歩行するだけで内転筋が鍛えられて太ももがシェイプアップされて美しいプロポーションを得ることができ、着用感も一段と向上する。
【０１９９】
本実施の形態４にかかるインナー２２も、実施の形態１にかかるインナー４と同様に、衣服としてのパンツ２、タイトスカート６、ワンピース１０を始めとして、種々の衣服のウエスト裏側に縫付けることができる。このうち、パンツ２にインナー２２の後半分だけ縫付ける場合、ワンピース１０に縫付ける場合には、分離部分を設ける必要はないが、パンツ２またはタイトスカート６にインナー２２の全周を縫付ける場合には、インナー２２の前中心１２Ｃ，後中心１２Ｄにそれぞれファスナー３，７よりも長い分離部分を設けて、当該分離部分をファスナー３，７の裏側の縫代部分に縫付ける必要がある。
【０２００】
本実施の形態４においては、インナー本体１２及び第２ヨーク部材１３Ａ，１３Ｂをパワーネットで構成し、引張り部材２３Ａ，２３Ｂをサテンネット（ストレッチサテン）で構成した場合について説明したが、引張り部材２３Ａ，２３Ｂをパワーネットや他の伸縮性生地で構成しても良いし、インナー本体１２及び第２ヨーク部材１３Ａ，１３Ｂを構成する伸縮性生地として、サテンネット（ストレッチサテン）、ストレッチレースを始めとする他の伸縮性生地を用いることもできる。
【０２０１】
実施の形態５
次に、本発明の実施の形態５にかかるインナー付き衣服について、図９を参照して説明する。図９（ａ）は本発明の実施の形態５にかかるインナー付き衣服に用いられるインナーの全体構成を示す正面図、（ｂ）は背面図である。
【０２０２】
図９（ｂ）に示されるように、本実施の形態５にかかるインナー付き衣服に用いられるインナー２５は、脚部１２Ａ，１２Ｂを有し伸縮性生地としてのパワーネットからなるインナー本体１２と、その臀部表側に左右対称に縫付けられた伸縮性生地としてのパワーネットからなる１対の第１ヨーク部材１６Ａ，１６Ｂと、インナー本体１２の表側と第１ヨーク部材１６Ａ，１６Ｂとの間に挟み込まれ、上端と下端とをインナー本体１２に縫付けられた伸縮性生地としてのサテンネット（ストレッチサテン）からなり、中間部分に各２対の枝部分２７を有する１対の引張り部材２６Ａ，２６Ｂを具備する。
【０２０３】
そして、第１ヨーク部材１６Ａ，１６Ｂ及び引張り部材２６Ａ，２６Ｂは上端がインナー本体１２の上端に達し、下方部分が拡がってインナー本体１２表側の脚部１２Ａ，１２Ｂの後部付け根部分を覆うように縫付けられている。ここで、１対の引張り部材２６Ａ，２６Ｂは引張り力を掛けながらインナー本体１２の表側に上端、下端、及び枝部分２７が縫付けられ、１対の第１ヨーク部材１６Ａ，１６Ｂは引張り力を掛けない状態で、引張り部材２６Ａ，２６Ｂの上からインナー本体１２の表側に縫付けられる。
【０２０４】
また、図９（ａ）に示されるように、インナー本体１２の前中心１２Ｃを中心とする表側には、パワーネットからなる略菱形の腹当て部材２８が縫付けられている。これによって、着用者の腹部が引き締められる。
【０２０５】
第１ヨーク部材１６Ａ，１６Ｂはインナー本体１２表側の脚部１２Ａ，１２Ｂの後部付け根部分を覆うように縫付けられており、上端がインナー本体１２の上端に達しているので、かかるインナー２５がウエスト裏側に縫付けられた衣服の着用者の臀部を上方へ引上げる働きをする。また、引張り部材２６Ａ，２６Ｂは上端と下端及び枝部分２７のみがインナー本体１２に縫付けられているので、ヒップアップの効果が一層強化される。さらに、枝部分２７がインナー本体１２に縫付けられているので、引張り部材２６Ａ，２６Ｂが捩れることがない。
【０２０６】
さらに、第１ヨーク部材１６Ａ，１６Ｂ及び引張り部材２６Ａ，２６Ｂは下方部分の内側の端がインナー本体１２の股部分を巻いて脚部１２Ａ，１２Ｂの前部付け根部分にまで達し、脚部１２Ａ，１２Ｂの前部表側に大きく突出している。これによって、第１ヨーク部材１６Ａ，１６Ｂ及び引張り部材２６Ａ，２６Ｂが普段鍛えられていない太もも内側の内転筋を締め付けるとともに引上げるため、着用して歩くだけで内転筋が鍛えられてシェイプアップされ、太ももをスリムにする効果をも具備する。
【０２０７】
また、第１ヨーク部材１６Ａ，１６Ｂ及び引張り部材２６Ａ，２６Ｂはインナー本体１２の表側に縫付けられているため、インナー付き衣服を内側から見た場合にインナー本体１２の内側には何も縫付けられておらず見栄えが良く、着用感も一段と向上する。
【０２０８】
このようにして、本実施の形態５にかかるインナー２５が縫付けられたインナー付き衣服は、着用するだけで十分に腹部の弛みを引き締めるとともに十分に臀部の弛みを引き締めてヒップアップさせ、さらに着用して歩行するだけで内転筋が鍛えられて太ももがシェイプアップされて美しいプロポーションを得ることができ、着用感も一段と向上する。
【０２０９】
本実施の形態５にかかるインナー２５も、実施の形態１にかかるインナー４と同様に、衣服としてのパンツ２、タイトスカート６、ワンピース１０を始めとして、種々の衣服のウエスト裏側に縫付けることができる。このうち、パンツ２にインナー２５の後半分だけ縫付ける場合、ワンピース１０に縫付ける場合には、分離部分を設ける必要はないが、パンツ２またはタイトスカート６にインナー２５の全周を縫付ける場合には、インナー２５の前中心１２Ｃ，後中心１２Ｄにそれぞれファスナー３，７よりも長い分離部分を設けて、当該分離部分をファスナー３，７の裏側の縫代部分に縫付ける必要がある。
【０２１０】
本実施の形態５においては、インナー本体１２及び第１ヨーク部材１６Ａ，１６Ｂをパワーネットで構成し、引張り部材２６Ａ，２６Ｂをサテンネット（ストレッチサテン）で構成した場合について説明したが、引張り部材２６Ａ，２６Ｂをパワーネットや他の伸縮性生地で構成しても良いし、インナー本体１２及び第１ヨーク部材１６Ａ，１６Ｂを構成する伸縮性生地として、サテンネット（ストレッチサテン）、ストレッチレースを始めとする他の伸縮性生地を用いることもできる。
【０２１１】
実施の形態６
次に、本発明の実施の形態６にかかるインナー付き衣服について、図１０を参照して説明する。図１０（ａ）は本発明の実施の形態６にかかるインナー付き衣服に用いられるインナーの全体構成を示す正面図、（ｂ）は背面図である。
【０２１２】
図１０（ａ）に示されるように、本実施の形態６にかかるインナー付き衣服に用いられるインナー３０は、脚部１２Ａ，１２Ｂを有し伸縮性生地としてのパワーネットからなるインナー本体１２と、その表側の前中心１２Ｃの上端から脚部１２Ａ，１２Ｂの付け根部分を巻いて左右対称に縫付けられた伸縮性生地としてのパワーネットからなる１対の第２ヨーク部材１３Ａ，１３Ｂと、インナー本体１２の表側と第２ヨーク部材１３Ａ，１３Ｂとの間に挟み込まれ、両端をインナー本体１２の表側に縫付けられた伸縮性生地としてのサテンネット（ストレッチサテン）からなり、中間部分に各２対の枝部分２４を有する１対の引張り部材２３Ａ，２３Ｂを具備している。
【０２１３】
ここで、１対の引張り部材２３Ａ，２３Ｂは引張り力を掛けながらインナー本体１２の表側に上端、下端、及び枝部分２４が縫付けられ、１対の第２ヨーク部材１３Ａ，１３Ｂは引張り力を掛けない状態で、引張り部材２３Ａ，２３Ｂの上からインナー本体１２の表側に縫付けられる。
【０２１４】
これによって、かかるインナー３０がウエスト裏側に縫付けられた衣服の着用者の腹部が第２ヨーク部材１３Ａ，１３Ｂ及び引張り部材２３Ａ，２３Ｂの上部で締め付けられて引き締められるとともに、図１０（ｂ）に示されるように、着用者の臀部が第２ヨーク部材１３Ａ，１３Ｂの下部で上方へ引上げられてヒップの丸みが強調され、また引張り部材２３Ａ，２３Ｂは上端と下端及び枝部分２４のみがインナー本体１２の表側に縫付けられているので、ヒップアップの効果が一層強化される。また、枝部分２４がインナー本体１２に縫付けられているので、引張り部材２３Ａ，２３Ｂが捩れることがない。
【０２１５】
さらに、図１０（ｂ）に示されるように、インナー本体１２の臀部表側に左右対称に縫付けられた伸縮性生地としてのパワーネットからなる１対の第１ヨーク部材１６Ａ，１６Ｂと、インナー本体１２の表側と第１ヨーク部材１６Ａ，１６Ｂとの間に挟み込まれ、上端と下端とをインナー本体１２に縫付けられた伸縮性生地としてのサテンネット（ストレッチサテン）からなり、中間部分に各２対の枝部分２７を有する１対の引張り部材２６Ａ，２６Ｂを具備し、第１ヨーク部材１６Ａ，１６Ｂ及び引張り部材２６Ａ，２６Ｂは上端がインナー本体１２の上端に達し、下方部分が拡がってインナー本体１２表側の脚部１２Ａ，１２Ｂの後部付け根部分を覆うように縫付けられている。
【０２１６】
ここで、１対の引張り部材２６Ａ，２６Ｂは引張り力を掛けながらインナー本体１２の表側に上端、下端、及び枝部分２７が縫付けられ、１対の第１ヨーク部材１６Ａ，１６Ｂは引張り力を掛けない状態で、引張り部材２６Ａ，２６Ｂの上からインナー本体１２の表側に縫付けられる。
【０２１７】
これによって、第１ヨーク部材１６Ａ，１６Ｂは、かかるインナー３０がウエスト裏側に縫付けられた衣服の着用者の臀部を上方へ引上げる働きをし、引張り部材２６Ａ，２６Ｂは上端と下端及び枝部分２７のみがインナー本体２に縫付けられているので、ヒップアップの効果が一層強化される。また、枝部分２７がインナー本体１２に縫付けられているので、引張り部材２６Ａ，２６Ｂが捩れることがない。
【０２１８】
さらに、第１ヨーク部材１６Ａ，１６Ｂ、第２ヨーク部材１３Ａ，１３Ｂ、引張り部材２３Ａ，２３Ｂ及び引張り部材２６Ａ，２６Ｂは下方部分の内側の端がインナー本体１２の股部分を巻いて脚部１２Ａ，１２Ｂの前部付け根部分にまで達し、脚部１２Ａ，１２Ｂの前部表側に大きく突出している。これによって、第１ヨーク部材１６Ａ，１６Ｂ、第２ヨーク部材１３Ａ，１３Ｂ、引張り部材２３Ａ，２３Ｂ及び引張り部材２６Ａ，２６Ｂが普段鍛えられていない太もも内側の内転筋を締め付けるとともに引上げるため、着用して歩くだけで内転筋が鍛えられてシェイプアップされ、太ももをスリムにする効果をも具備する。
【０２１９】
また、第１ヨーク部材１６Ａ，１６Ｂ、第２ヨーク部材１３Ａ，１３Ｂ、引張り部材２３Ａ，２３Ｂ及び引張り部材２６Ａ，２６Ｂはインナー本体１２の表側に縫付けられているため、インナー付き衣服を内側から見た場合にインナー本体１２の内側には何も縫付けられておらず見栄えが良く、着用感も一段と向上する。
【０２２０】
このようにして、本実施の形態６にかかるインナー３０が縫付けられたインナー付き衣服は、着用するだけで十分に腹部の弛みを引き締めるとともに十分に臀部の弛みを引き締めてヒップアップさせ、さらに着用して歩行するだけで内転筋が鍛えられて太ももがシェイプアップされて美しいプロポーションを得ることができ、着用感も一段と向上する。
【０２２１】
本実施の形態６にかかるインナー３０も、実施の形態１にかかるインナー４と同様に、衣服としてのパンツ２、タイトスカート６、ワンピース１０を始めとして、種々の衣服のウエスト裏側に縫付けることができる。このうち、パンツ２にインナー３０の後半分だけ縫付ける場合、ワンピース１０に縫付ける場合には、分離部分を設ける必要はないが、パンツ２またはタイトスカート６にインナー３０の全周を縫付ける場合には、インナー３０の前中心１２Ｃ，後中心１２Ｄにそれぞれファスナー３，７よりも長い分離部分を設けて、当該分離部分をファスナー３，７の裏側の縫代部分に縫付ける必要がある。
【０２２２】
本実施の形態６においては、インナー本体１２、第１ヨーク部材１６Ａ，１６Ｂ及び第２ヨーク部材１３Ａ，１３Ｂをパワーネットで構成し、引張り部材２３Ａ，２３Ｂ及び引張り部材２６Ａ，２６Ｂをサテンネット（ストレッチサテン）で構成した場合について説明したが、引張り部材２３Ａ，２３Ｂ及び引張り部材２６Ａ，２６Ｂをパワーネットや他の伸縮性生地で構成しても良いし、インナー本体１２、第１ヨーク部材１６Ａ，１６Ｂ及び第２ヨーク部材１３Ａ，１３Ｂを構成する伸縮性生地として、サテンネット（ストレッチサテン）、ストレッチレースを始めとする他の伸縮性生地を用いることもできる。
【０２２３】
実施の形態７
次に、本発明の実施の形態７にかかるインナー付き衣服について、図１１及び図１２を参照して説明する。図１１（ａ）は本発明の実施の形態７にかかるインナー付き衣服に用いられるインナーの全体構成を示す正面図、（ｂ）は背面図である。図１２（ａ）は本発明の実施の形態７の変形例にかかるインナー付き衣服に用いられるインナーの全体構成を示す正面図、（ｂ）は背面図である。
【０２２４】
図１１（ａ）に示されるように、本実施の形態７にかかるインナー付き衣服に用いられるインナー３２は、脚部１２Ａ，１２Ｂを有し伸縮性生地としてのパワーネットからなるインナー本体１２と、その表側の前中心２Ｃの中間部分から離れた位置から脚部１２Ａ，１２Ｂの付け根部分を巻いて左右対称に縫付けられた伸縮性生地としてのパワーネットからなる１対の短めの第２ヨーク部材３３Ａ，３３Ｂと、インナー本体１２の表側と第２ヨーク部材３３Ａ，３３Ｂとの間に挟み込まれ、両端をインナー本体１２に縫付けられた伸縮性生地としてのサテンネット（ストレッチサテン）からなり、中間部分に各１対の枝部分３５を有する１対の引張り部材３４Ａ，３４Ｂを具備する。
【０２２５】
ここで、１対の引張り部材３４Ａ，３４Ｂは引張り力を掛けながらインナー本体１２の表側に上端、下端、及び枝部分３５が縫付けられ、１対の第２ヨーク部材３３Ａ，３３Ｂは引張り力を掛けない状態で、引張り部材３４Ａ，３４Ｂの上からインナー本体１２の表側に縫付けられる。
【０２２６】
これによって、図１１（ｂ）に示されるように、かかるインナー３２がウエスト裏側に縫付けられた衣服の着用者の臀部が第２ヨーク部材３３Ａ，３３Ｂの下部で上方へ引上げられてヒップの丸みが強調され、また引張り部材３４Ａ，３４Ｂは上端と下端及び枝部分３５のみがインナー本体１２に縫付けられているので、ヒップアップの効果が一層強化される。さらに、枝部分３５がインナー本体１２に縫付けられているので、引張り部材３４Ａ，３４Ｂが捩れることがない。
【０２２７】
また、図１１（ａ）に示されるように、インナー本体１２の前中心１２Ｃを中心とする表側には、パワーネットからなる略菱形の腹当て部材３６が縫付けられている。これによって、着用者の腹部が引き締められる。
【０２２８】
さらに、第２ヨーク部材３３Ａ，３３Ｂ及び引張り部材３４Ａ，３４Ｂが脚部１２Ａ，１２Ｂの付け根部分を巻いて脚部１２Ａ，１２Ｂの前方まで大きく突出していることによって、第２ヨーク部材３３Ａ，３３Ｂ及び引張り部材３４Ａ，３４Ｂが普段鍛えられていない太もも内側の内転筋を締め付けるとともに引上げるため、着用して歩くだけで内転筋が鍛えられてシェイプアップされ、太ももをスリムにする効果をも具備する。
【０２２９】
また、第２ヨーク部材３３Ａ，３３Ｂ、引張り部材３４Ａ，３４Ｂ及び腹当て部材３６はインナー本体１２の表側に縫付けられているため、インナー付き衣服を内側から見た場合にインナー本体１２の内側には何も縫付けられておらず見栄えが良く、着用感も一段と向上する。
【０２３０】
このようにして、本実施の形態７にかかるインナー３２が縫付けられたインナー付き衣服は、着用するだけで十分に腹部の弛みを引き締めるとともに十分に臀部の弛みを引き締めてヒップアップさせ、さらに着用して歩行するだけで内転筋が鍛えられて太ももがシェイプアップされて美しいプロポーションを得ることができ、着用感も一段と向上する。
【０２３１】
次に、本実施の形態７の変形例にかかるインナー付き衣服に用いられるインナーについて、図１２を参照して説明する。
【０２３２】
図１２（ｂ）に示されるように、本実施の形態７の変形例にかかるインナー付き衣服に用いられるインナー３８は、構造的には上記のインナー３２に、さらにインナー本体１２の臀部表側に左右対称に縫付けられた伸縮性生地としてのパワーネットからなる１対の第１ヨーク部材１６Ａ，１６Ｂと、インナー本体１２の表側と第１ヨーク部材１６Ａ，１６Ｂとの間に挟み込まれ、上端と下端とをインナー本体１２に縫付けられた伸縮性生地としてのサテンネット（ストレッチサテン）からなり、中間部分に各２対の枝部分２７を有する１対の引張り部材２６Ａ，２６Ｂとを追加したものである。
【０２３３】
そして、第１ヨーク部材１６Ａ，１６Ｂ及び引張り部材２６Ａ，２６Ｂは上端がインナー本体１２の上端に達し、下方部分が拡がってインナー本体１２表側の脚部１２Ａ，１２Ｂの後部付け根部分を覆うように縫付けられている。ここで、１対の引張り部材２６Ａ，２６Ｂは引張り力を掛けながらインナー本体１２の表側に上端、下端、及び枝部分２７が縫付けられ、１対の第１ヨーク部材１６Ａ，１６Ｂは引張り力を掛けない状態で、引張り部材２６Ａ，２６Ｂの上からインナー本体１２の表側に縫付けられる。
【０２３４】
これによって、本実施の形態７の変形例にかかるインナー３８を縫付けたインナー付き衣服は、上記のインナー３２を縫付けたインナー付き衣服が有する作用効果に加えて、第１ヨーク部材１６Ａ，１６Ｂが着用者の臀部を上方へ引上げる働きをし、引張り部材２６Ａ，２６Ｂが上端と下端及び枝部分２７のみがインナー本体１２に縫付けられているので、ヒップアップの効果が一層強化される。
【０２３５】
本実施の形態７にかかるインナー３２，３８も、実施の形態１にかかるインナー４と同様に、衣服としてのパンツ２、タイトスカート６、ワンピース１０を始めとして、種々の衣服のウエスト裏側に縫付けることができる。このうち、パンツ２にインナー３２，３８の後半分だけ縫付ける場合、ワンピース１０に縫付ける場合には、分離部分を設ける必要はないが、パンツ２またはタイトスカート６にインナー３２，３８の全周を縫付ける場合には、インナー３２，３８の前中心１２Ｃ，後中心１２Ｄにそれぞれファスナー３，７よりも長い分離部分を設けて、当該分離部分をファスナー３，７の裏側の縫代部分に縫付ける必要がある。
【０２３６】
本実施の形態７においては、インナー本体１２、第１ヨーク部材１６Ａ，１６Ｂ、第２ヨーク部材３３Ａ，３３Ｂ及び腹当て部材３６をパワーネットで構成し、引張り部材３４Ａ，３４Ｂ及び引張り部材２６Ａ，２６Ｂをサテンネット（ストレッチサテン）で構成した場合について説明したが、引張り部材３４Ａ，３４Ｂ及び引張り部材２６Ａ，２６Ｂをパワーネットや他の伸縮性生地で構成しても良いし、インナー本体１２、第１ヨーク部材１６Ａ，１６Ｂ、第２ヨーク部材３３Ａ，３３Ｂ及び腹当て部材３６を構成する伸縮性生地として、サテンネット（ストレッチサテン）、ストレッチレースを始めとする他の伸縮性生地を用いることもできる。
【０２３７】
実施の形態８
次に、本発明の実施の形態８にかかるインナー付き衣服について、図１３を参照して説明する。図１３（ａ）は本発明の実施の形態８にかかるインナー付き衣服に用いられるインナーの全体構成を示す正面図、（ｂ）は背面図である。
【０２３８】
図１３（ａ）に示されるように、本実施の形態８にかかるインナー付き衣服に用いられるインナー４０は、脚部１２Ａ，１２Ｂを有し伸縮性生地としてのパワーネットからなるインナー本体１２と、その表側の前中心１２Ｃの中間部分から脚部１２Ａ，１２Ｂの付け根部分を巻いて左右対称に縫付けられた伸縮性生地としてのパワーネットからなる１対の第２ヨーク部材４１Ａ，４１Ｂと、インナー本体１２の表側と第２ヨーク部材４１Ａ，４１Ｂとの間に挟み込まれ、両端をインナー本体１２に縫付けられた伸縮性生地としてのサテンネット（ストレッチサテン）からなり、中間部分に各２対の枝部分２４を有する１対の引張り部材２３Ａ，２３Ｂとを具備する。
【０２３９】
ここで、１対の引張り部材２３Ａ，２３Ｂは引張り力を掛けながらインナー本体１２の表側に上端、下端、及び枝部分２４が縫付けられ、１対の第２ヨーク部材４１Ａ，４１Ｂは引張り力を掛けない状態で、引張り部材２３Ａ，２３Ｂの上からインナー本体１２の表側に縫付けられる。
【０２４０】
これによって、かかるインナー４０がウエスト裏側に縫付けられた衣服の着用者の下腹部が第２ヨーク部材４１Ａ，４１Ｂの上部で締め付けられて引き締められるとともに、図１３（ｂ）に示されるように、着用者の臀部が第２ヨーク部材４１Ａ，４１Ｂの下部で上方へ引上げられてヒップの丸みが強調され、また引張り部材２３Ａ，２３Ｂは上端と下端及び枝部分２４のみがインナー本体１２に縫付けられているので、ヒップアップの効果が一層強化される。また、枝部分２４がインナー本体１２に縫付けられているので、引張り部材２３Ａ，２３Ｂが捩れることがない。
【０２４１】
さらに、第２ヨーク部材４１Ａ，４１Ｂ及び引張り部材２３Ａ，２３Ｂが脚部１２Ａ，１２Ｂの付け根部分を巻いて脚部１２Ａ，１２Ｂの前方まで大きく突出していることによって、第２ヨーク部材４１Ａ，４１Ｂ及び引張り部材２３Ａ，２３Ｂが普段鍛えられていない太もも内側の内転筋を締め付けるとともに引上げるため、着用して歩くだけで内転筋が鍛えられてシェイプアップされ、太ももをスリムにする効果をも具備する。
【０２４２】
また、第２ヨーク部材４１Ａ，４１Ｂ及び引張り部材２３Ａ，２３Ｂはインナー本体１２の表側に縫付けられているため、インナー付き衣服を内側から見た場合にインナー本体１２の内側には何も縫付けられておらず見栄えが良く、着用感も一段と向上する。
【０２４３】
このようにして、本実施の形態８にかかるインナー４０が縫付けられたインナー付き衣服は、着用するだけで十分に腹部の弛みを引き締めるとともに十分に臀部の弛みを引き締めてヒップアップさせ、さらに着用して歩行するだけで内転筋が鍛えられて太ももがシェイプアップされて美しいプロポーションを得ることができ、着用感も一段と向上する。
【０２４４】
本実施の形態８にかかるインナー４０も、実施の形態１にかかるインナー４と同様に、衣服としてのパンツ２、タイトスカート６、ワンピース１０を始めとして、種々の衣服のウエスト裏側に縫付けることができる。このうち、パンツ２にインナー４０の後半分だけ縫付ける場合、ワンピース１０に縫付ける場合には、分離部分を設ける必要はないが、パンツ２またはタイトスカート６にインナー４０の全周を縫付ける場合には、インナー４０の前中心１２Ｃ，後中心１２Ｄにそれぞれファスナー３，７よりも長い分離部分を設けて、当該分離部分をファスナー３，７の裏側の縫代部分に縫付ける必要がある。
【０２４５】
本実施の形態８においては、インナー本体１２及び第２ヨーク部材４１Ａ，４１Ｂをパワーネットで構成し、引張り部材２３Ａ，２３Ｂをサテンネット（ストレッチサテン）で構成した場合について説明したが、引張り部材２３Ａ，２３Ｂをパワーネットや他の伸縮性生地で構成しても良いし、インナー本体１２及び第２ヨーク部材４１Ａ，４１Ｂを構成する伸縮性生地として、サテンネット（ストレッチサテン）、ストレッチレースを始めとする他の伸縮性生地を用いることもできる。
【０２４６】
実施の形態９
次に、本発明の実施の形態９にかかるインナー付き衣服について、図１４を参照して説明する。図１４（ａ）は本発明の実施の形態９にかかるインナー付き衣服に用いられるインナーの全体構成を示す正面図、（ｂ）は背面図である。
【０２４７】
図１４（ａ）に示されるように、本実施の形態９にかかるインナー付き衣服に用いられるインナー４２は、上記実施の形態１〜実施の形態８と異なり、各部材がインナー本体１２の裏側に縫付けられてなる。
【０２４８】
即ち、脚部１２Ａ，１２Ｂを有し伸縮性生地としてのパワーネットからなるインナー本体１２と、その裏側の前中心１２Ｃの上端から脚部１２Ａ，１２Ｂの付け根部分を巻いて左右対称に縫付けられた伸縮性生地としてのパワーネットからなる１対の第２ヨーク部材１３Ａ，１３Ｂと、インナー本体１２の裏側と第２ヨーク部材１３Ａ，１３Ｂとの間に挟み込まれ、両端をインナー本体１２に縫付けられた伸縮性生地としてのサテンネット（ストレッチサテン）からなり、中間部分に各２対の枝部分２４を有する１対の引張り部材２３Ａ，２３Ｂを具備する。
【０２４９】
ここで、１対の引張り部材２３Ａ，２３Ｂは引張り力を掛けながらインナー本体１２の裏側に上端、下端、及び枝部分２４が縫付けられ、１対の第２ヨーク部材１３Ａ，１３Ｂは引張り力を掛けない状態で、引張り部材２３Ａ，２３Ｂの上からインナー本体１２の裏側に縫付けられる。
【０２５０】
これによって、かかるインナー４２がウエスト裏側に縫付けられた衣服の着用者の腹部が第２ヨーク部材１３Ａ，１３Ｂの上部で締め付けられて引き締められるとともに、図１４（ｂ）に示されるように、着用者の臀部が第２ヨーク部材１３Ａ，１３Ｂの下部で上方へ引上げられてヒップの丸みが強調され、また引張り部材２３Ａ，２３Ｂは上端と下端及び枝部分２４のみがインナー本体１２に縫付けられているので、ヒップアップの効果が一層強化される。また、枝部分２４がインナー本体１２に縫付けられているので、引張り部材２３Ａ，２３Ｂが捩れることがない。
【０２５１】
さらに、第２ヨーク部材１３Ａ，１３Ｂ及び引張り部材２３Ａ，２３Ｂが脚部１２Ａ，１２Ｂの付け根部分を巻いて脚部１２Ａ，１２Ｂの前方まで大きく突出していることによって、第２ヨーク部材１３Ａ，１３Ｂ及び引張り部材２３Ａ，２３Ｂが普段鍛えられていない太もも内側の内転筋を締め付けるとともに引上げるため、着用して歩くだけで内転筋が鍛えられてシェイプアップされ、太ももをスリムにする効果をも具備する。
【０２５２】
このようにして、本実施の形態９にかかるインナー４２が縫付けられたインナー付き衣服は、着用するだけで十分に腹部の弛みを引き締めるとともに十分に臀部の弛みを引き締めてヒップアップさせ、さらに着用して歩行するだけで内転筋が鍛えられて太ももがシェイプアップされて美しいプロポーションを得ることができる。
【０２５３】
本実施の形態９にかかるインナー４２も、実施の形態１にかかるインナー４と同様に、衣服としてのパンツ２、タイトスカート６、ワンピース１０を始めとして、種々の衣服のウエスト裏側に縫付けることができる。このうち、パンツ２にインナー４２の後半分だけ縫付ける場合、ワンピース１０に縫付ける場合には、分離部分を設ける必要はないが、パンツ２またはタイトスカート６にインナー４２の全周を縫付ける場合には、インナー４２の前中心１２Ｃ，後中心１２Ｄにそれぞれファスナー３，７よりも長い分離部分を設けて、当該分離部分をファスナー３，７の裏側の縫代部分に縫付ける必要がある。
【０２５４】
本実施の形態９においては、インナー本体１２及び第２ヨーク部材１３Ａ，１３Ｂをパワーネットで構成し、引張り部材２３Ａ，２３Ｂをサテンネット（ストレッチサテン）で構成した場合について説明したが、引張り部材２３Ａ，２３Ｂをパワーネットや他の伸縮性生地で構成しても良いし、インナー本体１２及び第２ヨーク部材１３Ａ，１３Ｂを構成する伸縮性生地として、サテンネット（ストレッチサテン）、ストレッチレースを始めとする他の伸縮性生地を用いることもできる。
【０２５５】
実施の形態１０
次に、本発明の実施の形態１０にかかるインナー付き衣服について、図１５を参照して説明する。図１５（ａ）は本発明の実施の形態１０にかかるインナー付き衣服に用いられるインナーの全体構成を示す正面図、（ｂ）は背面図である。
【０２５６】
図１５（ｂ）に示されるように、本実施の形態１０にかかるインナー付き衣服に用いられるインナー４５は、脚部１２Ａ，１２Ｂを有し伸縮性生地としてのパワーネットからなるインナー本体１２と、その臀部裏側に左右対称に縫付けられた伸縮性生地としてのパワーネットからなる１対の第１ヨーク部材１６Ａ，１６Ｂと、インナー本体１２の裏側と第１ヨーク部材１６Ａ，１６Ｂとの間に挟み込まれ、上端と下端とをインナー本体１２に縫付けられた伸縮性生地としてのサテンネット（ストレッチサテン）からなり、中間部分に各２対の枝部分２７を有する１対の引張り部材２６Ａ，２６Ｂを具備し、第１ヨーク部材１６Ａ，１６Ｂ及び引張り部材２６Ａ，２６Ｂは上端がインナー本体１２の上端に達し、下方部分が拡がってインナー本体１２裏側の脚部１２Ａ，１２Ｂの後部付け根部分を覆うように縫付けられている。
【０２５７】
ここで、１対の引張り部材２６Ａ，２６Ｂは引張り力を掛けながらインナー本体１２の裏側に上端、下端、及び枝部分２７が縫付けられ、１対の第１ヨーク部材１６Ａ，１６Ｂは引張り力を掛けない状態で、引張り部材２６Ａ，２６Ｂの上からインナー本体１２の裏側に縫付けられる。
【０２５８】
第１ヨーク部材１６Ａ，１６Ｂはインナー本体１２裏側の脚部１２Ａ，１２Ｂの後部付け根部分を覆うように縫付けられており、上端がインナー本体１２の上端に達しているので、かかるインナー４５がウエスト裏側に縫付けられた衣服の着用者の臀部を上方へ引上げる働きをする。また、引張り部材２６Ａ，２６Ｂは上端と下端及び枝部分２７のみがインナー本体１２に縫付けられているので、ヒップアップの効果が一層強化される。また、枝部分２７がインナー本体１２に縫付けられているので、引張り部材２６Ａ，２６Ｂが捩れることがない。
【０２５９】
さらに、図１５（ａ）に示されるように、第１ヨーク部材１６Ａ，１６Ｂ及び引張り部材２６Ａ，２６Ｂは下方部分の内側の端がインナー本体１２の股部分を巻いて脚部１２Ａ，１２Ｂの前部付け根部分にまで達し、脚部１２Ａ，１２Ｂの前部裏側に大きく突出している。これによって、第１ヨーク部材１６Ａ，１６Ｂ及び引張り部材２６Ａ，２６Ｂが普段鍛えられていない太もも内側の内転筋を締め付けるとともに引上げるため、着用して歩くだけで内転筋が鍛えられてシェイプアップされ、太ももをスリムにする効果をも具備する。
【０２６０】
このようにして、本実施の形態１０にかかるインナー４５が縫付けられたインナー付き衣服は、着用するだけで十分に腹部の弛みを引き締めるとともに十分に臀部の弛みを引き締めてヒップアップさせ、さらに着用して歩行するだけで内転筋が鍛えられて太ももがシェイプアップされて美しいプロポーションを得ることができる。
【０２６１】
本実施の形態１０にかかるインナー４５も、実施の形態１にかかるインナー４と同様に、衣服としてのパンツ２、タイトスカート６、ワンピース１０を始めとして、種々の衣服のウエスト裏側に縫付けることができる。このうち、パンツ２にインナー４５の後半分だけ縫付ける場合、ワンピース１０に縫付ける場合には、分離部分を設ける必要はないが、パンツ２またはタイトスカート６にインナー４５の全周を縫付ける場合には、インナー４５の前中心１２Ｃ，後中心１２Ｄにそれぞれファスナー３，７よりも長い分離部分を設けて、当該分離部分をファスナー３，７の裏側の縫代部分に縫付ける必要がある。
【０２６２】
本実施の形態１０においては、インナー本体１２及び第１ヨーク部材１６Ａ，１６Ｂをパワーネットで構成し、引張り部材２６Ａ，２６Ｂをサテンネット（ストレッチサテン）で構成した場合について説明したが、引張り部材２６Ａ，２６Ｂをパワーネットや他の伸縮性生地で構成しても良いし、インナー本体１２及び第１ヨーク部材１６Ａ，１６Ｂを構成する伸縮性生地として、サテンネット（ストレッチサテン）、ストレッチレースを始めとする他の伸縮性生地を用いることもできる。
【０２６３】
実施の形態１１
次に、本発明の実施の形態１１にかかるインナー付き衣服について、図１６を参照して説明する。図１６（ａ）は本発明の実施の形態１１にかかるインナー付き衣服に用いられるインナーの全体構成を示す正面図、（ｂ）は背面図である。
【０２６４】
図１６（ａ）に示されるように、本実施の形態１１にかかるインナー付き衣服に用いられるインナー４７は、脚部１２Ａ，１２Ｂを有し伸縮性生地としてのパワーネットからなるインナー本体１２と、その裏側の前中心１２Ｃの上端から脚部１２Ａ，１２Ｂの付け根部分を巻いて左右対称に縫付けられた伸縮性生地としてのパワーネットからなる１対の第２ヨーク部材１３Ａ，１３Ｂと、インナー本体１２の裏側と第２ヨーク部材１３Ａ，１３Ｂとの間に挟み込まれ、両端をインナー本体１２に縫付けられた伸縮性生地としてのサテンネット（ストレッチサテン）からなり、中間部分に各２対の枝部分２４を有する１対の引張り部材２３Ａ，２３Ｂを具備する。
【０２６５】
ここで、１対の引張り部材２３Ａ，２３Ｂは引張り力を掛けながらインナー本体１２の裏側に上端、下端、及び枝部分２４が縫付けられ、１対の第２ヨーク部材１３Ａ，１３Ｂは引張り力を掛けない状態で、引張り部材２３Ａ，２３Ｂの上からインナー本体１２の裏側に縫付けられる。
【０２６６】
これによって、かかるインナー４７がウエスト裏側に縫付けられた衣服の着用者の腹部が第２ヨーク部材１３Ａ，１３Ｂの上部で締め付けられて引き締められるとともに、図１６（ｂ）に示されるように、着用者の臀部が第２ヨーク部材１３Ａ，１３Ｂの下部で上方へ引上げられてヒップの丸みが強調され、また引張り部材２３Ａ，２３Ｂは上端と下端及び枝部分２４のみがインナー本体１２の裏側に縫付けられているので、ヒップアップの効果が一層強化される。また、枝部分２４がインナー本体１２に縫付けられているので、引張り部材２３Ａ，２３Ｂが捩れることがない。
【０２６７】
さらに、図１６（ｂ）に示されるように、インナー本体１２の臀部裏側に左右対称に縫付けられた伸縮性生地としてのパワーネットからなる１対の第１ヨーク部材１６Ａ，１６Ｂと、インナー本体１２の裏側と第１ヨーク部材１６Ａ，１６Ｂとの間に挟み込まれ、上端と下端とをインナー本体１２に縫付けられた伸縮性生地としてのサテンネット（ストレッチサテン）からなり、中間部分に各２対の枝部分２７を有する１対の引張り部材２６Ａ，２６Ｂを具備し、第１ヨーク部材１６Ａ，１６Ｂ及び引張り部材２６Ａ，２６Ｂは上端がインナー本体１２の上端に達し、下方部分が拡がってインナー本体１２裏側の脚部１２Ａ，１２Ｂの後部付け根部分を覆うように縫付けられている。
【０２６８】
ここで、１対の引張り部材２６Ａ，２６Ｂは引張り力を掛けながらインナー本体１２の裏側に上端、下端、及び枝部分２７が縫付けられ、１対の第１ヨーク部材１６Ａ，１６Ｂは引張り力を掛けない状態で、引張り部材２６Ａ，２６Ｂの上からインナー本体１２の裏側に縫付けられる。
【０２６９】
これによって、第１ヨーク部材１６Ａ，１６Ｂは、かかるインナー４７がウエスト裏側に縫付けられた衣服の着用者の臀部を上方へ引上げる働きをし、引張り部材２６Ａ，２６Ｂは上端と下端及び枝部分２７のみがインナー本体１２に縫付けられているので、ヒップアップの効果が一層強化される。また、枝部分２７がインナー本体１２に縫付けられているので、引張り部材２６Ａ，２６Ｂが捩れることがない。
【０２７０】
さらに、第１ヨーク部材１６Ａ，１６Ｂ、第２ヨーク部材１３Ａ，１３Ｂ、引張り部材２３Ａ，２３Ｂ及び引張り部材２６Ａ，２６Ｂは下方部分の内側の端がインナー本体１２の股部分を巻いて脚部１２Ａ，１２Ｂの前部付け根部分にまで達し、脚部１２Ａ，１２Ｂの前部裏側に大きく突出している。これによって、第１ヨーク部材１６Ａ，１６Ｂ、第２ヨーク部材１３Ａ，１３Ｂ、引張り部材２３Ａ，２３Ｂ及び引張り部材２６Ａ，２６Ｂが普段鍛えられていない太もも内側の内転筋を締め付けるとともに引上げるため、着用して歩くだけで内転筋が鍛えられてシェイプアップされ、太ももをスリムにする効果をも具備する。
【０２７１】
このようにして、本実施の形態１１にかかるインナー４７が縫付けられたインナー付き衣服は、着用するだけで十分に腹部の弛みを引き締めるとともに十分に臀部の弛みを引き締めてヒップアップさせ、さらに着用して歩行するだけで内転筋が鍛えられて太ももがシェイプアップされて美しいプロポーションを得ることができる。
【０２７２】
本実施の形態１１にかかるインナー４７も、実施の形態１にかかるインナー４と同様に、衣服としてのパンツ２、タイトスカート６、ワンピース１０を始めとして、種々の衣服のウエスト裏側に縫付けることができる。このうち、パンツ２にインナー４７の後半分だけ縫付ける場合、ワンピース１０に縫付ける場合には、分離部分を設ける必要はないが、パンツ２またはタイトスカート６にインナー４７の全周を縫付ける場合には、インナー４７の前中心１２Ｃ，後中心１２Ｄにそれぞれファスナー３，７よりも長い分離部分を設けて、当該分離部分をファスナー３，７の裏側の縫代部分に縫付ける必要がある。
【０２７３】
本実施の形態１１においては、インナー本体１２、第１ヨーク部材１６Ａ，１６Ｂ及び第２ヨーク部材１３Ａ，１３Ｂをパワーネットで構成し、引張り部材２３Ａ，２３Ｂ及び引張り部材２６Ａ，２６Ｂをサテンネット（ストレッチサテン）で構成した場合について説明したが、引張り部材２３Ａ，２３Ｂ及び引張り部材２６Ａ，２６Ｂをパワーネットや他の伸縮性生地で構成しても良いし、インナー本体１２、第１ヨーク部材１６Ａ，１６Ｂ及び第２ヨーク部材１３Ａ，１３Ｂを構成する伸縮性生地として、サテンネット（ストレッチサテン）、ストレッチレースを始めとする他の伸縮性生地を用いることもできる。
【０２７４】
実施の形態１２
次に、本発明の実施の形態１２にかかるインナー付き衣服について、図１７を参照して説明する。図１７（ａ）は本発明の実施の形態１２にかかるインナー付き衣服に用いられるインナーの全体構成を示す正面図、（ｂ）は背面図である。
【０２７５】
図１７（ａ），（ｂ）に示されるように、本実施の形態１６にかかるインナー付き衣服に用いられるインナー５０は、全体の構造については、図１０に示される実施の形態６にかかるインナー付き衣服に用いられるインナー３０とほぼ同様である。即ち、脚部１２Ａ，１２Ｂを有し伸縮性生地としてのパワーネットからなるインナー本体１２の表側に、第２ヨーク部材１３Ａ，１３Ｂ、引張り部材２３Ａ，２３Ｂ、第１ヨーク部材１６Ａ，１６Ｂ、引張り部材２６Ａ，２６Ｂが縫付けられている。異なるのは、図１７（ａ）に示されるように、インナー本体１２の前中心１２Ｃが途中まで分かれており、開閉具としてのファスナー５１によって開閉自在になっていることである。
【０２７６】
即ち、インナー５０は、全ての部分が伸縮性生地からなるため引き締め効果は大きいが、その分インナー５０を縫付けたインナー付き衣服の着用に時間が掛かる場合があった。そこで、インナー本体１２の前中心１２Ｃにファスナー５１を開閉自在に設けることによって、インナー付き衣服の着用時にはインナー付き衣服の前中心の開閉具としてのファスナーを開くとともにインナー５０のファスナー５１を開いて着用し、その後ファスナー５１を閉めることによって、引き締め効果を保持しつつ容易に着用することができる。
【０２７７】
なお、ファスナー５１を開閉自在に設ける位置は前中心２Ｃに限られるものではなく、インナー付き衣服の開閉具としてのファスナーが設けられている位置に合わせて、脇部または後中心にも設けられる。
【０２７８】
実施の形態１３
次に、本発明の実施の形態１３にかかるインナー付き衣服について、図１８を参照して説明する。図１８（ａ）は本発明の実施の形態１３にかかるインナー付き衣服に用いられるインナーの全体構成を示す正面図、（ｂ）は背面図である。
【０２７９】
図１８（ａ），（ｂ）に示されるように、本実施の形態１３にかかるインナー付き衣服に用いられるインナー５２は、全体の構造については、図１６に示される実施の形態１１にかかるインナー付き衣服に用いられるインナー４７とほぼ同様である。即ち、脚部１２Ａ，１２Ｂを有し伸縮性生地としてのパワーネットからなるインナー本体１２の裏側に、第２ヨーク部材１３Ａ，１３Ｂ、引張り部材２３Ａ，２３Ｂ、第１ヨーク部材１６Ａ，１６Ｂ、引張り部材２６Ａ，２６Ｂが縫付けられている。異なるのは、図１８（ａ）に示されるように、インナー本体１２の前中心１２Ｃが途中まで分かれており、開閉具としてのファスナー５１によって開閉自在になっていることである。
【０２８０】
即ち、インナー付き衣服に用いられるインナー５２は、全ての部分が伸縮性生地からなるため引き締め効果は大きいが、その分インナー５２を縫付けたインナー付き衣服の着用に時間が掛かる場合があった。そこで、インナー本体１２の前中心１２Ｃにファスナー５１を開閉自在に設けることによって、インナー付き衣服の着用時にはインナー付き衣服の前中心の開閉具としてのファスナーを開くとともにファスナー５１を開いて着用し、その後ファスナー５１を閉めることによって、引き締め効果を保持しつつ容易に着用することができる。
【０２８１】
なお、ファスナー５１を開閉自在に設ける位置は前中心２Ｃに限られるものではなく、インナー付き衣服の開閉具としてのファスナーが設けられている位置に合わせて、脇部または後中心にも設けられる。
【０２８２】
その他の実施の形態１〜５，実施の形態７〜１０，実施の形態１２にかかるインナー付き衣服に用いられるインナーについても、同様にファスナー５１を開閉自在に設けることができる。また、インナーの一部を開閉自在にしてインナー付き衣服の着用を容易にする開閉具としては、インナーの分離部分に設けられるファスナーに限定されるものではなく、分離部分に複数のボタンとボタンホール、複数の１対ずつのドット釦、１対の接着布（マジックテープ（登録商標））、等を設けても良い。
【０２８３】
実施の形態１４
次に、本発明の実施の形態１４にかかるインナー付き衣服について、図１９を参照して説明する。図１９（ａ）は本発明の実施の形態１４にかかるインナー付き衣服に用いられるインナーの全体構成を示す正面図、（ｂ）は背面図、（ｃ）はインナーを構成する各部材を示す図である。
【０２８４】
図１９（ａ），（ｂ）に示されるように、本実施の形態１４にかかるインナー付き衣服に用いられるインナー８５は、伸縮性生地としてのパワーネットからなるインナー本体８６に、伸縮性生地としてのストレッチレースからなる１対の第２ヨーク部材８７Ａ，８７Ｂが縫付けられている。インナー本体８６は脚部８６Ａ，８６Ｂを有しており、第２ヨーク部材８７Ａ，８７Ｂは、これらの脚部８６Ａ，８６Ｂの付け根部分を巻いて太もも部分の前方まで突出している。
【０２８５】
より正確に説明すると、図１９（ｃ）に示されるように、本実施の形態１４にかかるインナー８５は、インナー本体８６を構成するパワーネットからなる部材８９Ａ，８９Ｂ，９０Ａ，９０Ｂ，９１Ａ，９１Ｂと、ストレッチレースからなる第２ヨーク部材８７Ａ，８７Ｂと、枝部分９３を有する伸縮性生地としてのパワーネットからなる引張り部材９２Ａ，９２Ｂとを、重ねて縫い合わせることによって製作されている。
【０２８６】
即ち、装飾性を有するストレッチレースからなる第２ヨーク部材８７Ａ，８７Ｂの縁が隠れるようにするために、まずパワーネットからなる部材９１Ａ，９１Ｂと第２ヨーク部材８７Ａ，８７Ｂとを、間にそれぞれ引張り部材９２Ａ，９２Ｂを挟んで、引張り部材９２Ａ，９２Ｂは各２対の枝部分９３及び先端部分のみを縫付けるようにして、縫い合わせる。
【０２８７】
次に、パワーネットからなる部材８９Ａ，８９Ｂ，９０Ａ，９０Ｂを、それぞれ第２ヨーク部材８７Ａ，８７Ｂの上辺の縁及び下辺の縁に１ｃｍ程度被せて、縫い合わせる。そして、前中心８６Ｃ及び後中心８６Ｄを縫い合わせて、最後にウエスト周りの始末及び脚部８６Ａ，８６Ｂの裾部分の始末をすることによって、図１９（ａ），（ｂ）に示されるように、本実施の形態１４にかかるインナー８５が完成する。
【０２８８】
これによって、ストレッチレースからなる第２ヨーク部材８７Ａ，８７Ｂの縁が、パワーネットからなる部材８９Ａ，８９Ｂ，９０Ａ，９０Ｂによって覆われるため、インナー８５の装飾性がより向上する。
【０２８９】
ここで、図１９（ａ）に示されるように、インナー８５においては、第２ヨーク部材８７Ａ，８７Ｂの脚部８６Ａ，８６Ｂの付け根部分を巻いて太もも部分の前方まで突出している部分８８Ａ，８８Ｂが丸みを帯びた形状を有している。これによって、太もも部分の前方まで突出している部分８８Ａ，８８Ｂを縫付ける際に、特にミシン縫いの場合に丸みを帯びた形状８８Ａ，８８Ｂの縁に沿って途中で止まる必要がなく一気に縫付けることができるため、縫製が容易になり製造工程が短縮される。
【０２９０】
このようにして、本実施の形態１４にかかるインナー８５が内側に縫付けられたインナー付き衣服は、着用するだけで臀部の弛みを引き上げてより一層効果的にヒップアップさせるとともに、着用して歩行するだけで内転筋が鍛えられて太もも部分がシェイプアップされて美しいプロポーションを得ることができ、さらに製造工程を短縮することができるとともに装飾性がより向上するという作用効果が得られる。
【０２９１】
なお、上記実施の形態１〜実施の形態１３にかかるインナー４，１５，２０，２２，２５，３０，３２，３８，４０，４２，４５，４７，５０，５２においても、本実施の形態１４にかかるインナー８５と同様に股下前部の突出部分の形状を丸みを帯びた形状とすることによって、縫製が容易になり製造工程を短縮できるという作用効果が得られる。
【０２９２】
また、本実施の形態１４にかかるインナー８５においては、装飾性を有するストレッチレースからなる第２ヨーク部材８７Ａ，８７Ｂの見栄えを良くするために、インナー本体８６を六つに分離した部材８９Ａ，８９Ｂ，９０Ａ，９０Ｂ，９１Ａ，９１Ｂから構成しているが、上記実施の形態１〜実施の形態１３にかかるインナーと同様に、一体のインナー本体に第１ヨーク部材及び／または第２ヨーク部材及び／または引張り部材を取付けて構成しても良い。
【０２９３】
実施の形態１５
次に、本発明の実施の形態１５にかかるインナー付き衣服について、図２０を参照して説明する。図２０（ａ）は本発明の実施の形態１５にかかるインナー付き衣服に用いられるインナーの全体構成を示す正面図、（ｂ）は背面図、（ｃ）はインナーを構成する各部材を示す図である。
【０２９４】
図２０（ａ），（ｂ）に示されるように、本実施の形態１５にかかるインナー付き衣服に用いられるインナー９５は、伸縮性生地としてのパワーネットからなるインナー本体９６に、伸縮性生地としてのストレッチレースからなる１対の第２ヨーク部材９７Ａ，９７Ｂが縫付けられている。インナー本体９６は脚部９６Ａ，９６Ｂを有しており、第２ヨーク部材９７Ａ，９７Ｂは、これらの脚部９６Ａ，９６Ｂの付け根部分を巻いて太もも部分の前方まで突出している。
【０２９５】
より正確に説明すると、図２０（ｃ）に示されるように、本実施の形態１５にかかるインナー９５は、インナー本体９６を構成するパワーネットからなる部材９９Ａ，９９Ｂ，１００Ａ，１００Ｂ，１０１Ａ，１０１Ｂと、ストレッチレースからなる第２ヨーク部材９７Ａ，９７Ｂと、枝部分９３を有する伸縮性生地としてのパワーネットからなる引張り部材９２Ａ，９２Ｂとを、重ねて縫い合わせることによって製作されている。
【０２９６】
即ち、装飾性を有するストレッチレースからなる第２ヨーク部材９７Ａ，９７Ｂの縁が隠れるようにするために、まずパワーネットからなる部材１０１Ａ，１０１Ｂと第２ヨーク部材９７Ａ，９７Ｂとを、間にそれぞれ引張り部材９２Ａ，９２Ｂを挟んで、引張り部材９２Ａ，９２Ｂは各２対の枝部分９３のみを縫付けるようにして、縫い合わせる。
【０２９７】
次に、パワーネットからなる部材９９Ａ，９９Ｂ，１００Ａ，１００Ｂを、それぞれ第２ヨーク部材９７Ａ，９７Ｂの上辺の縁及び下辺の縁に１ｃｍ程度被せて、縫い合わせる。そして、前中心９６Ｃ及び後中心９６Ｄを縫い合わせて、最後にウエスト周りの始末及び脚部９６Ａ，９６Ｂの裾部分の始末をすることによって、図２０（ａ），（ｂ）に示されるように、本実施の形態１５にかかるインナー９５が完成する。
【０２９８】
これによって、ストレッチレースからなる第２ヨーク部材９７Ａ，９７Ｂの縁が、パワーネットからなる部材９９Ａ，９９Ｂ，１００Ａ，１００Ｂによって覆われるため、インナー９５の装飾性がより向上する。
【０２９９】
ここで、図２０（ａ）に示されるように、インナー９５においては、第２ヨーク部材９７Ａ，９７Ｂの脚部９６Ａ，９６Ｂの付け根部分を巻いて太もも部分の前方まで突出している部分９８Ａ，９８Ｂが、丸みを帯びた形状を有しているとともに、脚部９６Ａ，９６Ｂの裾部分９６Ａａ，９６Ｂａまで達している。これによって、太もも内側がより下方まで第２ヨーク部材９７Ａ，９７Ｂによって締め付けられるため、太もも内側の内転筋を締め付ける効果がより増大して、着用して歩くだけで内転筋が鍛えられてシェイプアップされ、太ももをスリムにする効果がより強力になる。
【０３００】
さらに、太もも部分の前方まで突出している部分９８Ａ，９８Ｂを縫付ける際に、特にミシン縫いの場合に丸みを帯びた形状９８Ａ，９８Ｂの縁に沿って途中で止まる必要がなく一気に縫付けることができるため、縫製が容易になり製造工程が短縮される。
【０３０１】
このようにして、本実施の形態１５にかかるインナー９５が内側に縫付けられたインナー付き衣服は、着用するだけで臀部の弛みを引き上げてより一層効果的にヒップアップさせるとともに、着用して歩行するだけでより強力に内転筋が鍛えられて太もも部分がシェイプアップされて美しいプロポーションを得ることができ、さらに製造工程を短縮することができるとともに装飾性がより向上するという作用効果が得られる。
【０３０２】
なお、本実施の形態１５にかかるインナー９５においては、装飾性を有するストレッチレースからなる第２ヨーク部材９７Ａ，９７Ｂの見栄えを良くするために、インナー本体９６を六つに分離した部材９９Ａ，９９Ｂ，１００Ａ，１００Ｂ，１０１Ａ，１０１Ｂから構成しているが、上記実施の形態１〜実施の形態１３にかかるインナーと同様に、一体のインナー本体に第１ヨーク部材及び／または第２ヨーク部材及び／または引張り部材を取付けて構成しても良い。
【０３０３】
実施の形態１６
次に、本発明の実施の形態１６にかかるインナー付き衣服について、図２１を参照して説明する。以下に説明する各実施の形態は、インナー付き衣服においてインナーを衣服に着脱可能としたものである。図２１（ａ）は本発明の実施の形態１６にかかるインナー付き衣服においてインナーを衣服の裏側に着脱自在に接続するＺナップの構造を示す説明図、（ｂ）はインナーを衣服の裏側に装着した状態を示す斜視図である。
【０３０４】
図２１（ｂ）に示されるように、本実施の形態１６にかかるインナー付き衣服５５においては、インナー４がＺナップ５７によって衣服としてのパンツ２の裏側（内側）に着脱可能に取付けられる。図２１（ａ）に示されるように、Ｚナップ５７は合成樹脂製の凸側５７Ａと凹側５７Ｂとからなり、凸側５７Ａの膨らんだ先端部５７ａを凹側５７Ｂの下面の穴（図示せず）から押し込むことによって、凸側５７Ａの膨らんだ先端部５７ａが凹側５７Ｂの側面の貫通穴５７ｂに嵌まり込んで接続されるものである。
【０３０５】
Ｚナップ５７の凸側５７Ａは、インナー４の上端部５６に取り付けられ、Ｚナップ５７の凹側５７Ｂは布地テープ５４に取り付けられて、布地テープ５４は、図２１（ｂ）に示されるように、パンツ２のウエストベルト部２Ａの裏側に縫付けられる。
【０３０６】
そして、パンツ２のファスナー３を全開にしてインナー４をパンツ２の中に入れ、Ｚナップ５７の凸側５７Ａを対応するＺナップ５７の凹側５７Ｂに嵌め込んで、パンツ２の裏側にインナー４が装着される。この状態で、着用する人がインナー付き衣服５５をはいて、インナー４によって引き締められたウエストサイズに合うように、２つの鉤部を有する鉤構成体５８と２つの受部を有する受構成体５９からなる掛止金具によって、インナー付き衣服５５のウエストサイズを調節する。
【０３０７】
このようにインナー付き衣服５５を着用することによって、インナー４で着用者の腹部の弛みが引き締められるとともに臀部の弛みが引き締められてヒップアップされる効果がある。さらに、インナー４が普段鍛えられていない太もも内側の内転筋を締め付けるとともに引上げるため、着用して歩くだけで内転筋が鍛えられてシェイプアップされ、太ももをスリムにする効果をも具備する。
【０３０８】
さらに、Ｚナップ５７によってインナー４をパンツ２から着脱自在としたことによって、インナー４を取外してパンツ２単独でも着用することができるとともに、インナー４のみを洗濯することも可能となる。
【０３０９】
ここで、本実施の形態１６のインナー付き衣服５５においては、着脱具としてＺナップ５７を用いているが、Ｚナップ５７は極めて小型の樹脂製の着脱具で嵌合させた状態でも平坦なので、パンツ２のウエストベルト部２Ａの厚さに埋もれてしまって肌を点状に圧迫することがなく、金属製の部品の冷感も与えない。したがって、肌に直接触れることがあったとしても、着用者は全く気にならず、長時間着用しても肌に跡が付くこともない。このようにして、パンツ２の裏側に着脱可能であって、Ｚナップ５７が肌を刺激することもなく、快適に長時間着用することができる。
【０３１０】
実施の形態１７
次に、本発明の実施の形態１７にかかるインナー付き衣服について、図２２を参照して説明する。図２２は本発明の実施の形態１７にかかるインナー付き衣服において、インナーを衣服としてのパンツの裏側に装着する方法を示す説明図である。
【０３１１】
図２２に示されるように、本実施の形態１７にかかるインナー付き衣服においては、衣服としてのパンツ２のウエストベルトの裏側２ａ下端に、Ｚナップ５７の凹側５７Ｂとループ６１が交互にそれぞれ複数個取付けられており、インナー４の表側４ａの上端にはＺナップ５７の凸側５７Ａとボタン６４が交互にそれぞれ複数個取付けられている。上述の如く、Ｚナップ５７は使い勝手の良い着脱具であるが、インナー付き衣服に激しい動きや大きな引張り力が掛かった場合には、外れてしまうことがある。そこで、補助的に複数のループ６１と複数のボタン６４で取付けておくことによって、Ｚナップ５７が万一外れてしまった場合にも、インナー４が落ちるのを防ぐことができる。
【０３１２】
ここで、複数のボタン６４はインナー４の表側４ａに取付けられているため、直接肌に触れることがなく、長時間着用しても肌に跡が付くこともない。このようにして、本実施の形態１７にかかるインナー付き衣服は、インナー４がパンツ２の裏側に着脱可能であって、Ｚナップ５７及びボタン６４が肌を刺激することもなく、快適に長時間着用することができる。また、インナー４をパンツ２から着脱自在としたことによって、インナー４を取外してパンツ２単独でも着用することができるとともに、インナー４のみを洗濯することも可能となる。
【０３１３】
なお、複数のループ６１と複数のボタン６４は、Ｚナップ５７と必ずしも交互に取付けられなくても良く、Ｚナップ５７を複数個連続して取付け、複数のループ６１と複数のボタン６４を連続して取付けても良いし、複数のループ６１と複数のボタン６４は補助的な役割をするものであるため、Ｚナップ５７よりもずっと少ない数としても良い。
【０３１４】
実施の形態１８
次に、本発明の実施の形態１８にかかるインナー付き衣服について、図２３を参照して説明する。図２３は本発明の実施の形態１８にかかるインナー付き衣服において、インナーを衣服としてのパンツの裏側に装着する方法を示す説明図である。
【０３１５】
図２３に示されるように、本実施の形態１８にかかるインナー付き衣服においては、パンツ２のウエストベルト２Ａの裏側２ａにインナー４を着脱するための着脱具として、ランジェリーフックアイテープが用いられている。即ち、パンツ２のウエストベルト２Ａの裏側２ａには、一定間隔で複数の雌フック６０ａが取付けられたランジェリーフックアイテープの雌側６０Ａが縫付けられており、インナー４の表側４ａには、前記複数の雌フック６０ａと同一間隔で複数の雄フック６０ｂが取付けられたランジェリーフックアイテープの雄側６０Ｂが縫付けられている。
【０３１６】
そして、インナー４をパンツ２の裏側に装着する際には、複数の雄フック６０ｂをそれぞれ対応する位置の複数の雌フック６０ａに係合させることによって、簡単に素早く装着することができる。ここで、ランジェリーフックアイテープの雄側６０Ｂはインナー４の表側４ａに縫付けられているので、複数の雄フック６０ｂを複数の雌フック６０ａに係合させてインナー付き衣服を佩いても、雄フック６０ｂまたは雌フック６０ａが肌に直接当ることはなく、肌を圧迫することもない。したがって、快適に長時間着用することができる。また、インナー４をパンツ２から着脱自在としたことによって、インナー４を取外してパンツ２単独でも着用することができるとともに、インナー４のみを洗濯することも可能となる。
【０３１７】
なお、本実施の形態１８とは逆に、パンツ２のウエストベルト２Ａの裏側２ａにランジェリーフックアイテープの雄側６０Ｂを縫付け、インナー４の表側４ａにランジェリーフックアイテープの雌側６０Ａを縫付けても同様な作用効果が得られる。
【０３１８】
実施の形態１９
次に、本発明の実施の形態１９にかかるインナー付き衣服について、図２４を参照して説明する。図２４（ａ）は本発明の実施の形態１９にかかるインナー付き衣服において、インナーを衣服としてのパンツの裏側に装着する方法を示す説明図、（ｂ）は変形例を示す図、（ｃ）は別の変形例を示す図である。
【０３１９】
図２４（ａ）に示されるように、本実施の形態１９にかかるインナーの表側４ａには間隔をおいて複数のボタン６４が取付けられている。一方、パンツのウエストベルトの裏側２ａには、複数のボタン６４と対応する位置に複数の糸ループ６１Ａが取付けられている。そして、本実施の形態１９にかかるインナー付き衣服において、インナー４をパンツ２のウエストベルトの裏側２ａに装着する際には、ボタン６４をそれぞれ対応する位置の糸ループ６１Ａに嵌めれば良いので、簡単に素早く装着することができる。
【０３２０】
ここで、複数のボタン６４はインナー４の表側４ａに取付けられているので、複数のボタン６４を複数の糸ループ６１Ａに嵌めてインナー付き衣服を佩いても、ボタン６４が肌に直接当ることはなく、肌を圧迫することもない。したがって、快適に長時間着用することができる。また、インナー４をパンツ２から着脱自在としたことによって、インナー４を取外してパンツ２単独でも着用することができるとともに、インナー４のみを洗濯することも可能となる。
【０３２１】
次に、本実施の形態１９の変形例について、図２４（ｂ）を参照して説明する。図２４（ｂ）に示されるように、図２４（ａ）との相違点はウエストベルトの裏側２ａに糸ループ６１Ａの代わりにルーパー６２が取付けられている点のみである。したがって、インナー４をパンツ２のウエストベルトの裏側２ａに装着する際には、ボタン６４をそれぞれ対応する位置のルーパー６２に嵌めれば良いので、簡単に素早く装着することができる。
【０３２２】
次に、本実施の形態１９の別の変形例について、図２４（ｃ）を参照して説明する。図２４（ｃ）に示されるように、図２４（ａ）との相違点はウエストベルトの裏側２ａに糸ループ６１Ａの代わりに表地バイアスループまたは裏地バイアスループ６３が取付けられている点のみである。したがって、インナー４をパンツ２のウエストベルトの裏側２ａに装着する際には、ボタン６４をそれぞれ対応する位置の表地バイアスループまたは裏地バイアスループ６３に嵌めれば良いので、簡単に素早く装着することができる。
【０３２３】
なお、本実施の形態１９とは逆に、パンツ２のウエストベルトの裏側２ａにボタン６４を取付け、インナー４の表側４ａに糸ループ６１Ａ，ルーパー６２，表地バイアスループまたは裏地バイアスループ６３を（ボタン６４を嵌めたときにボタン６４が肌に当らない位置にくるように）取付けても同様な作用効果が得られる。
【０３２４】
実施の形態２０
次に、本発明の実施の形態２０にかかるインナー付き衣服について、図２５を参照して説明する。図２５（ａ）は本発明の実施の形態２０にかかるインナー付き衣服において、インナーを衣服としてのパンツの裏側に装着する方法を示す説明図、（ｂ）は変形例を示す図、（ｃ）は別の変形例を示す図である。
【０３２５】
図２５（ａ）に示されるように、本実施の形態２０にかかるインナー４の表側４ａには間隔をおいて複数の雄型スプリングホック６５が取付けられている。一方、衣服としてのパンツ２のウエストベルトの裏側２ａには、複数の雄型スプリングホック６５と対応する位置に複数の糸ループ６１Ａが取付けられている。そして、本実施の形態２０にかかるインナー４をパンツ２のウエストベルトの裏側２ａに装着する際には、雄型スプリングホック６５をそれぞれ対応する位置の糸ループ６１Ａに嵌めれば良いので、簡単に素早く装着することができる。
【０３２６】
ここで、複数の雄型スプリングホック６５はインナー４の表側４ａに取付けられているので、複数の雄型スプリングホック６５を複数の糸ループ６１Ａに嵌めてインナー付き衣服を佩いても、雄型スプリングホック６５が肌に直接当ることはなく、肌を圧迫することもない。したがって、快適に長時間着用することができる。また、インナー４をパンツ２から着脱自在としたことによって、インナー４を取外してパンツ２単独でも着用することができるとともに、インナー４のみを洗濯することも可能となる。
【０３２７】
次に、本実施の形態２０の変形例について、図２５（ｂ）を参照して説明する。図２５（ｂ）に示されるように、図２５（ａ）との相違点はウエストベルトの裏側２ａに糸ループ６１Ａの代わりにルーパー６２が取付けられている点のみである。したがって、インナー４をパンツ２のウエストベルトの裏側２ａに装着する際には、雄型スプリングホック６５をそれぞれ対応する位置のルーパー６２に嵌めれば良いので、簡単に素早く装着することができる。
【０３２８】
次に、本実施の形態２０の別の変形例について、図２５（ｃ）を参照して説明する。図２５（ｃ）に示されるように、図２５（ａ）との相違点はウエストベルトの裏側２ａに糸ループ６１Ａの代わりに表地バイアスループまたは裏地バイアスループ６３が取付けられている点のみである。したがって、インナー４をパンツ２のウエストベルトの裏側２ａに装着する際には、雄型スプリングホック６５をそれぞれ対応する位置の表地バイアスループまたは裏地バイアスループ６３に嵌めれば良いので、簡単に素早く装着することができる。
【０３２９】
なお、本実施の形態２０とは逆に、パンツ２のウエストベルトの裏側２ａに雄型スプリングホック６５を取付け、インナー４の表側４ａに糸ループ６１Ａ，ルーパー６２，表地バイアスループまたは裏地バイアスループ６３を（雄型スプリングホック６５を嵌めたときに雄型スプリングホック６５が肌に当らない位置にくるように）取付けても同様な作用効果が得られる。
【０３３０】
実施の形態２１
次に、本発明の実施の形態２１にかかるインナー付き衣服について、図２６を参照して説明する。図２６は本発明の実施の形態２１にかかるインナー付き衣服において、インナーを衣服としてのパンツの裏側に装着する方法を示す説明図である。
【０３３１】
図２６に示されるように、本実施の形態２１にかかるインナー４の表側４ａには間隔をおいて複数のボタン６４が取付けられている。一方、パンツ２のウエストベルトの裏側２ａには、複数のボタン６４と対応する位置に複数のチイ６６が取付けられている。ここで、チイ６６とは、細長い布地を図のように折り畳んだループと同じ役割をするものである。そして、本実施の形態２１にかかるインナー４をパンツ２のウエストベルトの裏側２ａに装着する際には、ボタン６４をそれぞれ対応する位置のチイ６６に嵌めれば良いので、簡単に素早く装着することができる。
【０３３２】
ここで、複数のボタン６４はインナー４の表側４ａに取付けられているので、複数のボタン６４を複数のチイ６６に嵌めてインナー付き衣服を佩いても、ボタン６４が肌に直接当ることはなく、肌を圧迫することもない。したがって、快適に長時間着用することができる。また、インナー４をパンツ２から着脱自在としたことによって、インナー４を取外してパンツ２単独でも着用することができるとともに、インナー４のみを洗濯することも可能となる。
【０３３３】
なお、本実施の形態２１とは逆に、パンツ２のウエストベルトの裏側２ａにボタン６４を取付け、インナー４の表側４ａにチイ６６を（ボタン６４を嵌めたときにボタン６４が肌に当らない位置にくるように）取付けても同様な作用効果が得られる。
【０３３４】
実施の形態２２
次に、本発明の実施の形態２２にかかるインナー付き衣服について、図２７を参照して説明する。図２７は本発明の実施の形態２２にかかるインナー付き衣服において、インナーを衣服としてのパンツの裏側に装着する方法を示す説明図である。
【０３３５】
図２７に示されるように、本実施の形態２２にかかるインナー４の表側４ａには間隔をおいて複数のボタン６４が取付けられている。一方、パンツ２のウエストベルトの裏側２ａには、複数のボタン６４と対応する位置に複数のボタンホール６７が設けられた布テープ６８が縫付けられている。そして、本実施の形態２２にかかるインナー４をパンツ２のウエストベルトの裏側２ａに装着する際には、ボタン６４をそれぞれ対応する位置のボタンホール６７に嵌めれば良いので、簡単に素早く装着することができる。
【０３３６】
ここで、複数のボタン６４はインナー４の表側４ａに取付けられているので、複数のボタン６４を複数のボタンホール６７に嵌めてインナー付き衣服を佩いても、ボタン６４が肌に直接当ることはなく、肌を圧迫することもない。したがって、快適に長時間着用することができる。また、インナー４をパンツ２から着脱自在としたことによって、インナー４を取外してパンツ２単独でも着用することができるとともに、インナー４のみを洗濯することも可能となる。
【０３３７】
なお、本実施の形態２２とは逆に、パンツ２のウエストベルトの裏側２ａにボタン６４を取付け、インナー４の表側４ａに複数のボタンホール６７が設けられた布テープ６８を（ボタン６４を嵌めたときにボタン６４が肌に当らない位置にくるように）取付けても同様な作用効果が得られる。また、布テープ６８でなくゴムテープに複数のボタンホール６７が設けられたものを、パンツ２のウエストベルトの裏側２ａ或いはインナー４の表側４ａに縫付けても良い。
【０３３８】
実施の形態２３
次に、本発明の実施の形態２３にかかるインナー付き衣服について、図２８を参照して説明する。図２８は本発明の実施の形態２３にかかるインナー付き衣服において、インナーを衣服としてのパンツの裏側に装着する方法を示す説明図である。
【０３３９】
図２８に示されるように、本実施の形態２３にかかるインナー４の表側４ａには間隔をおいて複数の雄型スプリングホック６５が取付けられている。一方、パンツ２のウエストベルトの裏側２ａには、複数の雄型スプリングホック６５と対応する位置に複数の雌型スプリングホック６９が取付けられている。そして、本実施の形態２３にかかるインナー４をパンツ２のウエストベルトの裏側２ａに装着する際には、雄型スプリングホック６５をそれぞれ対応する位置の雌型スプリングホック６９に係合させれば良いので、簡単に素早く装着することができる。
【０３４０】
ここで、複数の雄型スプリングホック６５はインナー４の表側４ａに取付けられているので、複数の雄型スプリングホック６５を複数の雌型スプリングホック６９に係合させてインナー付き衣服を佩いても、雄型スプリングホック６５或いは雌型スプリングホック６９が肌に直接当ることはなく、肌を圧迫することもない。したがって、快適に長時間着用することができる。また、インナー４をパンツ２から着脱自在としたことによって、インナー４を取外してパンツ２単独でも着用することができるとともに、インナー４のみを洗濯することも可能となる。
【０３４１】
なお、本実施の形態２３とは逆に、パンツ２のウエストベルトの裏側２ａに雄型スプリングホック６５を取付け、インナー４の表側４ａに雌型スプリングホック６９を（雄型スプリングホック６５を嵌めたときに雄型スプリングホック６５及び雌型スプリングホック６９が肌に当らない位置にくるように）取付けても同様な作用効果が得られる。また、図２８においては、形状の異なる２種類の雌型スプリングホック６９を混合して用いているが、どちらか１種類に統一しても良い。
【０３４２】
実施の形態２４
次に、本発明の実施の形態２４にかかるインナー付き衣服について、図２９を参照して説明する。図２９は本発明の実施の形態２４にかかるインナー付き衣服において、インナーを衣服としてのパンツの裏側に装着する方法を示す説明図である。
【０３４３】
図２９に示されるように、本実施の形態２４にかかるインナー４の表側４ａには、一定間隔をおいて複数の凸側ドット釦７１が取付けられたドット・スナップテープ７２が縫付けられている。一方、パンツ２のウエストベルトの裏側２ａには、同じ一定間隔をおいて複数の凹側ドット釦７０が取付けられたドット・スナップテープ７２が縫付けられている。そして、本実施の形態２４にかかるインナー４をパンツ２のウエストベルトの裏側２ａに装着する際には、凸側ドット釦７１をそれぞれ対応する位置の凹側ドット釦７０に嵌めれば良いので、簡単に素早く装着することができる。
【０３４４】
ここで、複数の凸側ドット釦７１が取付けられたドット・スナップテープ７２はインナー４の表側４ａに取付けられているので、複数の凸側ドット釦７１を複数の凹側ドット釦７０に嵌めてインナー付き衣服を佩いても、凸側ドット釦７１も凹側ドット釦７０も肌に直接当ることはなく、肌を圧迫することもない。したがって、快適に長時間着用することができる。また、インナー４をパンツ２から着脱自在としたことによって、インナー４を取外してパンツ２単独でも着用することができるとともに、インナー４のみを洗濯することも可能となる。
【０３４５】
なお、本実施の形態２４とは逆に、パンツ２のウエストベルトの裏側２ａに複数の凸側ドット釦７１が取付けられたドット・スナップテープ７２を取付け、インナー４の表側４ａに複数の凹側ドット釦７０が取付けられたドット・スナップテープ７２を取付けても同様な作用効果が得られる。さらに、ドット・スナップテープ７２を用いずに、複数の凹側ドット釦７０と複数の凸側ドット釦７１を直接それぞれ間隔をおいて、パンツ２のウエストベルトの裏側２ａまたはインナー４の表側４ａに取付けても良い。
【０３４６】
実施の形態２５
次に、本発明の実施の形態２５にかかるインナー付き衣服について、図３０を参照して説明する。図３０は本発明の実施の形態２５にかかるインナー付き衣服において、インナーを衣服としてのパンツの裏側に装着する方法を示す説明図である。
【０３４７】
図３０に示されるように、本実施の形態２５にかかるインナー４の表側４ａには、複数のオープンファスナーの雌側７４が取付けられている。一方、パンツ２のウエストベルトの裏側２ａには、相対する位置に複数のオープンファスナーの雄側７３が取付けられている。そして、本実施の形態２５にかかるインナー４をパンツ２のウエストベルトの裏側２ａに装着する際には、相対する位置のオープンファスナーの雄側７３と雌側７４を合わせてファスナーを閉じれば良いので、簡単に素早く装着することができる。
【０３４８】
ここで、複数のオープンファスナーの雌側７４はインナー４の表側４ａに取付けられているので、複数のオープンファスナーの雄側７３と雌側７４を合わせてファスナーを閉じインナー付き衣服を佩いても、オープンファスナーの雄側７３も雌側７４も肌に直接当ることはなく、肌を圧迫することもない。したがって、快適に長時間着用することができる。また、インナー４をパンツ２から着脱自在としたことによって、インナー４を取外してパンツ２単独でも着用することができるとともに、インナー４のみを洗濯することも可能となる。
【０３４９】
なお、本実施の形態２５においては、短めのオープンファスナーの雄側７３と雌側７４を複数取付けているが、インナー４の後中心２Ｄから前中心２Ｃの手前まで左右に２個のオープンファスナーを取付けても良いし、インナー４の前中心２Ｃを避けてその他の部分に１個のオープンファスナーを取付けても良い。
【０３５０】
また、本実施の形態２５とは逆に、パンツ２のウエストベルトの裏側２ａにオープンファスナーの雌側７４を取付け、インナー４の表側４ａにオープンファスナーの雄側７３を（オープンファスナーの雄側７３をオープンファスナーの雌側７４と合わせて閉じたときにオープンファスナーの雄側７３及び雌側７４が肌に当らない位置にくるように）取付けても同様な作用効果が得られる。
【０３５１】
実施の形態２６
次に、本発明の実施の形態２６にかかるインナー付き衣服について、図３１を参照して説明する。図３１（ａ）は本発明の実施の形態２６にかかるインナー付き衣服において、インナーを衣服としてのパンツの裏側に装着する方法を示す説明図、（ｂ）は変形例を示す図である。
【０３５２】
図３１（ａ）に示されるように、本実施の形態２６にかかるインナー４の表側４ａには、複数のボタン６４が取付けられている。一方、パンツ２のウエストベルトの裏側２ａには、一定の間隔をおいて複数のホール７５の付いた図示されないレース生地が縫付けられている。そして、本実施の形態２６にかかるインナー４をパンツ２のウエストベルトの裏側２ａに装着する際には、相対する位置のレース生地のホール７５にボタン６４を嵌めれば良いので、簡単に素早く装着することができる。
【０３５３】
ここで、複数のボタン６４はインナー４の表側４ａに取付けられているので、複数のボタン６４をそれぞれレース生地のホール７５に嵌めてインナー付き衣服を佩いても、ボタン６４が肌に直接当ることはなく、肌を圧迫することもない。したがって、快適に長時間着用することができる。また、インナー４をパンツ２から着脱自在としたことによって、インナー４を取外してパンツ２単独でも着用することができるとともに、インナー４のみを洗濯することも可能となる。
【０３５４】
次に、本実施の形態２６の変形例について、図３１（ｂ）を参照して説明する。図３１（ｂ）に示されるように、図３１（ａ）との相違点はインナー４の表側４ａにボタン６４の代わりに雄型スプリングホック６５が取付けられている点のみである。したがって、インナー４をパンツ２のウエストベルトの裏側２ａに装着する際には、雄型スプリングホック６５をそれぞれ対応する位置のホール７５に嵌めれば良いので、簡単に素早く装着することができる。
【０３５５】
ここで、複数の雄型スプリングホック６５はインナー４の表側４ａに取付けられているので、複数の雄型スプリングホック６５を複数のホール７５に嵌めてインナー付き衣服を佩いても、雄型スプリングホック６５が肌に直接当ることはなく、肌を圧迫することもない。したがって、快適に長時間着用することができる。
【０３５６】
なお、本実施の形態２６とは逆に、パンツ２のウエストベルトの裏側２ａにボタン６４或いは雄型スプリングホック６５を取付け、インナー４の表側４ａに複数のホール７５の付いたレース生地を（ボタン６４或いは雄型スプリングホック６５をホール７５に嵌めたときにボタン６４或いは雄型スプリングホック６５が肌に当らない位置にくるように）取付けても同様な作用効果が得られる。
【０３５７】
実施の形態２７
次に、本発明の実施の形態２７にかかるインナー付き衣服について、図３２を参照して説明する。図３２は本発明の実施の形態２７にかかるインナー付き衣服において、インナーを衣服としてのパンツの裏側に装着する方法を示す説明図である。
【０３５８】
図３２に示されるように、本実施の形態２７にかかるインナー４の表側４ａには、接着布（マジックテープ（登録商標））の軟らかい側７６ｂが取付けられている。一方、パンツ２のウエストベルトの裏側２ａには、接着布の硬い側７６ａが取付けられている。本実施の形態２７にかかるインナー４をパンツ２のウエストベルトの裏側２ａに装着する際には、相対する位置の接着布の硬い側７６ａと接着布の軟らかい側７６ｂを接着させれば良いので、簡単に素早く装着することができる。
【０３５９】
ここで、接着布の軟らかい側７６ｂはインナー４の表側４ａに取付けられているので、接着布の軟らかい側７６ｂをそれぞれ接着布の硬い側７６ａと接着させインナー付き衣服を佩いても、接着布の硬い側７６ａ及び接着布の軟らかい側７６ｂが肌に直接当ることはなく、肌を圧迫することもない。したがって、快適に長時間着用することができる。また、インナー４をパンツ２から着脱自在としたことによって、インナー４を取外してパンツ２単独でも着用することができるとともに、インナー４のみを洗濯することも可能となる。
【０３６０】
なお、本実施の形態２７とは逆に、パンツ２のウエストベルトの裏側２ａに接着布の軟らかい側７６ｂを取付け、インナー４の表側４ａに接着布の硬い側７６ａを取付けても同様な作用効果が得られる。
【０３６１】
実施の形態２８
次に、本発明の実施の形態２８にかかるインナー付き衣服について、図３３を参照して説明する。図３３は本発明の実施の形態２８にかかるインナー付き衣服において、インナーが取付けられる衣服としてのパンツの裏側を示す説明図である。
【０３６２】
図３３に示されるように、本実施の形態２８にかかるインナーが取付けられる衣服としてのパンツ２のウエストベルト２Ａの裏側２ａには、約２ｃｍのキセ７７が設けられており、これによって、上記実施の形態１６から実施の形態２７までで説明したパンツ２のウエストベルト２Ａの裏側２ａに取付けられる着脱具の一方であるＺナップの凹側５７Ｂ，ルーパー６２，ボタンホール６７付き布テープ６８，接着布の硬い側７６ａ等がキセ７７の下に隠される。実施の形態１６から実施の形態２７までで説明したその他の着脱具の一方についても、全て同様に隠される。
【０３６３】
このように、パンツ２のウエストベルト２Ａの裏側２ａにキセ７７を設けて着脱具の一方を隠すことによって、インナー４を装着しないときには普通の衣服（紳士用ズボン、婦人用パンツ、スカート等）に見え、インナー４を装着したときには、着脱具が隠れて見栄えが良くなる。さらに、キセ７７分の布地２枚７７ａ，７７ｂが間に挟まることによって、着脱具の肌への当りもより一層少なくなり、快適に長時間着用できるインナー付き衣服５５となる。また、インナー４をパンツ２から着脱自在としたことによって、インナー４を取外してパンツ２単独でも着用することができるとともに、インナー４のみを洗濯することも可能となる。
【０３６４】
また、キセ７７を貫通して複数のボタンホール７９を設けることができ、このようにキセ７７を利用することによって、ボタンホール６７用の布テープ６８を縫付けなくても、直接複数のボタンホール７９を設けることができる。さらに、キセ７７の内側の布７７ａのみに複数の隠し穴かがり８０を設けることによって、ボタンホール（穴かがり）８０を隠すことができる。そして、インナーの表側に複数のボタンが取付けられて、ボタンホール７９または隠し穴かがり８０にボタンが嵌められ或いは外されることによって、パンツ２のウエストベルト裏側２ａに着脱可能となる。
【０３６５】
このようにして、隠し穴かがり８０についてはインナーを装着しないときには普通の衣服（紳士用ズボン、婦人用パンツ、スカート等）に見え、インナーを装着したときには、ボタンが隠れて見栄えが良くなる。さらに、キセ７７分の布地２枚７７ａ，７７ｂが間に挟まることによって、ボタンの肌への当りもより一層少なくなり、快適に長時間着用することができる。なお、キセ７７の長さはパンツ２のウエストベルト裏側２ａに取付けられる着脱具の大きさ（布テープ６８の幅やドット釦の大きさ等）によって変化させる。
【０３６６】
実施の形態２９
次に、本発明の実施の形態２９にかかるインナー付き衣服について、図３４を参照して説明する。図３４は本発明の実施の形態２９にかかるインナー付き衣服のインナー取付け部分の構成を示す斜視図である。
【０３６７】
図３４に示されるように、本実施の形態２９にかかるインナー付き衣服８１は、衣服としてのパンツ２のウエスト部分裏側に、上記実施の形態１５にかかるインナー５２を、パンツ２の前中心に設けられたファスナー３の左右を除いて、全周の約４分の３だけ縫付けてなるものである。このように、衣服としてのパンツ２の前中心に設けられたファスナー３の位置に合わせて前中心に開閉具としてのファスナー５１が設けられたインナー５２を縫付けることによって、インナー付き衣服８１の着用時にはインナー付き衣服８１のファスナー３を開くとともにインナー５２のファスナー５１を開いて着用し、その後インナー５２のファスナー５１を閉めることによって、引き締め効果を保持しつつ容易に着用することができる。
【０３６８】
このようにして、本実施の形態２９にかかるインナー付き衣服８１は、着用がより容易であり、着用するだけで十分に腹部の弛みを引き締めるとともに十分に臀部の弛みを引き締めてヒップアップさせ、さらに着用して歩行するだけで内転筋が鍛えられて太ももがシェイプアップされて美しいプロポーションを得ることができる。
【０３６９】
なお、インナーの一部を開閉自在にしてインナー付き衣服の着用を容易にする開閉具としては、インナーの分離部分に設けられるファスナーに限定されるものではなく、分離部分に複数のボタンとボタンホール、複数の１対ずつのドット釦、１対の接着布（マジックテープ（登録商標））、等を設けても良い。
【０３７０】
実施の形態３０
次に、本発明の実施の形態３０にかかるインナー付き衣服について、図３５を参照して説明する。図３５（ａ）は本発明の実施の形態３０にかかるインナー付き衣服において、インナーを衣服の裏側に着脱可能に取付ける方法を示す説明図、（ｂ）はインナーを衣服の裏側に装着した状態を示す斜視図である。
【０３７１】
図３５（ａ），（ｂ）に示されるように、本実施の形態３０にかかるインナー付き衣服８２においては、上記実施の形態１７と同様に複数個のＺナップ５７及び複数のループ６１及びボタン６４の組み合わせによって、上記実施の形態１５にかかるインナー５２を、衣服としてのパンツ２のウエスト部裏側２ａに着脱可能に取付けている。
【０３７２】
本実施の形態３０にかかるインナー付き衣服８２が上記実施の形態１７と異なるのは、図３５（ｂ）に示されるように、ウエストベルトの裏側２ａ下端に、複数個のＺナップ５７の凹側が一定間隔でほぼ全周に亘って取付けられ、インナー５２の表側５２ａの上端にはＺナップ５７の凸側５７Ａが同一間隔でほぼ全周に亘って取付けられ、パンツ２の後中心の左右のウエストベルト裏側２ａ下端にループ６１がＺナップ５７の凹側の間に４個だけ取付けられており、インナー５２の後中心の左右の表側５２ａ上端にボタン６４がＺナップ５７の凸側５７Ａの間に４個だけ取付けられている点である。
【０３７３】
即ち、上記実施の形態１７においても説明したように、複数のループ６１及びボタン６４の組み合わせは、インナー付き衣服８２の着用中に万が一Ｚナップ５７が外れてしまっても、インナー５２が落下するのを防止するための補助的役割をするものであるため、Ｚナップ５７よりもずっと少ない数で良いからである。また、その方が着脱がより速くできて便利でもある。
【０３７４】
また、このように、衣服としてのパンツ２の前中心に設けられたファスナー３の位置に合わせて前中心に開閉具としてのファスナー５１が設けられたインナー５２を取付けることによって、インナー付き衣服８２の着用時にはインナー付き衣服８２のファスナー３を開くとともにインナー５２のファスナー５１を開いて着用し、その後インナー５２のファスナー５１を閉めることによって、引き締め効果を保持しつつ容易に着用することができる。
【０３７５】
このようにして、本実施の形態３０にかかるインナー付き衣服８２は、着用がより容易であり、着用するだけで十分に腹部の弛みを引き締めるとともに十分に臀部の弛みを引き締めてヒップアップさせ、さらに着用して歩行するだけで内転筋が鍛えられて太ももがシェイプアップされて美しいプロポーションを得ることができる。
【０３７６】
さらに、複数のボタン６４はインナー５２の表側５２ａに取付けられているため、直接肌に触れることがなく、長時間着用しても肌に跡が付くこともない。このようにして、本実施の形態３０にかかるインナー付き衣服８２は、インナー５２がパンツ２の裏側に着脱可能であって、Ｚナップ５７及びボタン６４が肌を刺激することもなく、快適に長時間着用することができる。また、インナー５２をパンツ２から着脱自在としたことによって、インナー５２を取外してパンツ２単独でも着用することができるとともに、インナー５２のみを洗濯することも可能となる。
【０３７７】
なお、インナーの一部を開閉自在にしてインナー付き衣服の着用を容易にする開閉具としては、インナーの分離部分に設けられるファスナーに限定されるものではなく、分離部分に複数のボタンとボタンホール、複数の１対ずつのドット釦、１対の接着布（マジックテープ（登録商標））、等を設けても良い。
【０３７８】
上記実施の形態１６〜実施の形態３０においては、インナー付き衣服の衣服としてパンツ２についてのみ説明したが、衣服としては他にもタイトスカート６、ワンピース１０を始めとして、スラックス・Ｇパン・短パン・オーバーオール等のズボン・パンツ類や、キュロットスカート・ジャンパースカート・プリーツスカート・フレアスカート等のスカート類等に適用することができる。
【０３７９】
また、上記実施の形態１６〜実施の形態２８においては、インナー付き衣服のインナーとしてインナー４を用いた場合のみについて説明したが、実施の形態２〜実施の形態１５において説明した他のインナー１５，２０，２２，２５，３０，３２，３８，４０，４２，４５，４７，５０，５２等をも用いることができる。
【０３８０】
さらに、上記実施の形態１〜実施の形態１５においては、インナー付き衣服の衣服としてパンツ２、タイトスカート６、ワンピース１０についてのみ説明したが、衣服としては他にもスラックス・Ｇパン・短パン・オーバーオール等のズボン・パンツ類や、キュロットスカート・ジャンパースカート・プリーツスカート・フレアスカート等のスカート類等に適用することができる。
【０３８１】
また、上記実施の形態１〜実施の形態１５においては、インナーを構成する第１ヨーク部材、第２ヨーク部材、２種類の引張り部材がいずれもインナー本体の脚部の付け根前方まで大きく突出している場合についてのみ説明したが、第１ヨーク部材、第２ヨーク部材、引張り部材がインナー本体の脚部の付け根を巻くだけでも良く、付け根前方まで突出していない場合にも、ほぼ同様の作用効果を得ることができる。
【０３８２】
さらに、上記各実施の形態においては、インナーを構成する伸縮性生地としてパワーネット、サテンネット（ストレッチサテン）、ストレッチレースを使用した場合について説明したが、これに限られるものではなく、他の伸縮性生地を用いても良い。
【０３８３】
インナー付き衣服のその他の部分の構造、形状、数量、材質、大きさ（幅・長さ・厚さ等）、接続関係等についても、上記各実施の形態に限定されるものではない。
【図面の簡単な説明】
【０３８４】
【図１】図１（ａ）は本発明の実施の形態１にかかるインナー付き衣服の全体構成を示す正面図、（ｂ）は背面図、（ｃ）はインナー取付け部分の構成を示す斜視図である。
【図２】図２（ａ）は本発明の実施の形態１の第１変形例にかかるインナー付き衣服の全体構成を示す正面図、（ｂ）は背面図である。
【図３】図３は本発明の実施の形態１の第２変形例にかかるインナー付き衣服のインナー取付け部分の構成を示す斜視図である。
【図４】図４（ａ）は本発明の実施の形態１の第３変形例にかかるインナー付き衣服の全体構成を示す正面図、（ｂ）は背面図である。
【図５】図５（ａ）は本発明の実施の形態１にかかるインナー付き衣服におけるインナーの全体構成を示す正面図、（ｂ）は背面図である。
【図６】図６（ａ）は本発明の実施の形態２にかかるインナー付き衣服に用いられるインナーの全体構成を示す正面図、（ｂ）は背面図である。
【図７】図７（ａ）は本発明の実施の形態３にかかるインナー付き衣服に用いられるインナーの全体構成を示す正面図、（ｂ）は背面図である。
【図８】図８（ａ）は本発明の実施の形態４にかかるインナー付き衣服に用いられるインナーの全体構成を示す正面図、（ｂ）は背面図である。
【図９】図９（ａ）は本発明の実施の形態５にかかるインナー付き衣服に用いられるインナーの全体構成を示す正面図、（ｂ）は背面図である。
【図１０】図１０（ａ）は本発明の実施の形態６にかかるインナー付き衣服に用いられるインナーの全体構成を示す正面図、（ｂ）は背面図である。
【図１１】図１１（ａ）は本発明の実施の形態７にかかるインナー付き衣服に用いられるインナーの全体構成を示す正面図、（ｂ）は背面図である。
【図１２】図１２（ａ）は本発明の実施の形態７の変形例にかかるインナー付き衣服に用いられるインナーの全体構成を示す正面図、（ｂ）は背面図である。
【図１３】図１３（ａ）は本発明の実施の形態８にかかるインナー付き衣服に用いられるインナーの全体構成を示す正面図、（ｂ）は背面図である。
【図１４】図１４（ａ）は本発明の実施の形態９にかかるインナー付き衣服に用いられるインナーの全体構成を示す正面図、（ｂ）は背面図である。
【図１５】図１５（ａ）は本発明の実施の形態１０にかかるインナー付き衣服に用いられるインナーの全体構成を示す正面図、（ｂ）は背面図である。
【図１６】図１６（ａ）は本発明の実施の形態１１にかかるインナー付き衣服に用いられるインナーの全体構成を示す正面図、（ｂ）は背面図である。
【図１７】図１７（ａ）は本発明の実施の形態１２にかかるインナー付き衣服に用いられるインナーの全体構成を示す正面図、（ｂ）は背面図である。
【図１８】図１８（ａ）は本発明の実施の形態１３にかかるインナー付き衣服に用いられるインナーの全体構成を示す正面図、（ｂ）は背面図である。
【図１９】図１９（ａ）は本発明の実施の形態１４にかかるインナー付き衣服に用いられるインナーの全体構成を示す正面図、（ｂ）は背面図、（ｃ）はインナーを構成する各部材を示す図である。
【図２０】図２０（ａ）は本発明の実施の形態１５にかかるインナー付き衣服に用いられるインナーの全体構成を示す正面図、（ｂ）は背面図、（ｃ）はインナーを構成する各部材を示す図である。
【図２１】図２１（ａ）は本発明の実施の形態１６にかかるインナー付き衣服においてインナーを衣服の裏側に着脱自在に接続するＺナップの構造を示す説明図、（ｂ）はインナーを衣服の裏側に装着した状態を示す斜視図である。
【図２２】図２２は本発明の実施の形態１７にかかるインナー付き衣服において、インナーを衣服としてのパンツの裏側に装着する方法を示す説明図である。
【図２３】図２３は本発明の実施の形態１８にかかるインナー付き衣服において、インナーを衣服としてのパンツの裏側に装着する方法を示す説明図である。
【図２４】図２４（ａ）は本発明の実施の形態１９にかかるインナー付き衣服において、インナーを衣服としてのパンツの裏側に装着する方法を示す説明図、（ｂ）は変形例を示す図、（ｃ）は別の変形例を示す図である。
【図２５】図２５（ａ）は本発明の実施の形態２０にかかるインナー付き衣服において、インナーを衣服としてのパンツの裏側に装着する方法を示す説明図、（ｂ）は変形例を示す図、（ｃ）は別の変形例を示す図である。
【図２６】図２６は本発明の実施の形態２１にかかるインナー付き衣服において、インナーを衣服としてのパンツの裏側に装着する方法を示す説明図である。
【図２７】図２７は本発明の実施の形態２２にかかるインナー付き衣服において、インナーを衣服としてのパンツの裏側に装着する方法を示す説明図である。
【図２８】図２８は本発明の実施の形態２３にかかるインナー付き衣服において、インナーを衣服としてのパンツの裏側に装着する方法を示す説明図である。
【図２９】図２９は本発明の実施の形態２４にかかるインナー付き衣服において、インナーを衣服としてのパンツの裏側に装着する方法を示す説明図である。
【図３０】図３０は本発明の実施の形態２５にかかるインナー付き衣服において、インナーを衣服としてのパンツの裏側に装着する方法を示す説明図である。
【図３１】図３１（ａ）は本発明の実施の形態２６にかかるインナー付き衣服において、インナーを衣服としてのパンツの裏側に装着する方法を示す説明図、（ｂ）は変形例を示す図である。
【図３２】図３２は本発明の実施の形態２７にかかるインナー付き衣服において、インナーを衣服としてのパンツの裏側に装着する方法を示す説明図である。
【図３３】図３３は本発明の実施の形態２８にかかるインナー付き衣服において、インナーが取付けられる衣服としてのパンツの裏側を示す説明図である。
【図３４】図３４は本発明の実施の形態２９にかかるインナー付き衣服のインナー取付け部分の構成を示す斜視図である。
【図３５】図３５（ａ）は本発明の実施の形態３０にかかるインナー付き衣服において、インナーを衣服の裏側に着脱可能に取付ける方法を示す説明図、（ｂ）はインナーを衣服の裏側に装着した状態を示す斜視図である。
【符号の説明】
【０３８５】
１，５，８，９，５５，８１，８２  インナー付き衣服
２  衣服（パンツ）
２ａ  衣服のウエストベルトの裏側
４，１５，２０，２２，２５，３０，３２，３８，４０，４２，４５，４７，５０，５２，８５，９５  インナー
４ａ，５２ａ  インナーの表側
６  衣服（スカート）
１０  衣服（ワンピース）
１２，８６，９６  インナー本体
１２Ａ，１２Ｂ，８６Ａ，８６Ｂ，９６Ａ，９６Ｂ  脚部
１２Ｃ，８６Ｃ，９６Ｃ  前中心
１２Ｄ，８６Ｄ，９６Ｄ  後中心
１３Ａ，１３Ｂ，３３Ａ，３３Ｂ，４１Ａ，４１Ｂ，８７Ａ，８７Ｂ，９７Ａ，９７Ｂ  第２ヨーク部材
１６Ａ，１６Ｂ  第１ヨーク部材
２３Ａ，２３Ｂ，２６Ａ，２６Ｂ，３４Ａ，３４Ｂ，９２Ａ，９２Ｂ  引張り部材
２４，２７，３５，９３  枝部分
５１  ファスナー
６０Ａ  ランジェリーフックアイテープの雌側
６０ａ  雌フック
６０Ｂ  ランジェリーフックアイテープの雄側
６０ｂ  雄フック
６１  ループ
６１Ａ  糸ループ
６２  ルーパー
６３  表地バイアスループまたは裏地バイアスループ
６４  ボタン
６５  雄型スプリングホック
６６  チイ
６７，７９  ボタンホール
６８  布テープ
６９  雌型スプリングホック
７０  凹側ドット釦
７１  凸側ドット釦
７２  ドット・スナップテープ
７３  オープンファスナーの雄側
７４  オープンファスナーの雌側
７５  レースのホール
７６ａ  接着布の硬い側
７６ｂ  接着布の軟らかい側
７７  キセ
７７ａ  キセの内側の布
７８  身頃
８０  隠し穴かがり
【図１】
2006291440.tif 000003
【図２】
2006291440.tif 000004
【図３】
2006291440.tif 000005
【図４】
2006291440.tif 000006
【図５】
2006291440.tif 000007
【図６】
2006291440.tif 000008
【図７】
2006291440.tif 000009
【図８】
2006291440.tif 000010
【図９】
2006291440.tif 000011
【図１０】
2006291440.tif 000012
【図１１】
2006291440.tif 000013
【図１２】
2006291440.tif 000014
【図１３】
2006291440.tif 000015
【図１４】
2006291440.tif 000016
【図１５】
2006291440.tif 000017
【図１６】
2006291440.tif 000018
【図１７】
2006291440.tif 000019
【図１８】
2006291440.tif 000020
【図１９】
2006291440.tif 000021
【図２０】
2006291440.tif 000022
【図２１】
2006291440.tif 000023
【図２２】
2006291440.tif 000024
【図２３】
2006291440.tif 000025
【図２４】
2006291440.tif 000026
【図２５】
2006291440.tif 000027
【図２６】
2006291440.tif 000028
【図２７】
2006291440.tif 000029
【図２８】
2006291440.tif 000030
【図２９】
2006291440.tif 000031
【図３０】
2006291440.tif 000032
【図３１】
2006291440.tif 000033
【図３２】
2006291440.tif 000034
【図３３】
2006291440.tif 000035
【図３４】
2006291440.tif 000036
【図３５】
2006291440.tif 000037